(57)【要約】【課題】携帯通信端末で、個人用選曲本サーバに記憶された曲情報を閲覧可能とする個人用選曲本システム及び個人用選曲本サーバを実現する。【解決手段】所定のメールアドレスに電子メールを送信すると（Ｓ１）、個人用選曲本サーバでは、当該受信した電子メールから発信者のメールアドレスを取得し、このメールアドレスと時刻変数を周知のＭＤ５関数により暗号化してユーザーキーを生成し、そのユーザーキーを電子メールで返信する（Ｓ２）。また、個人用選曲本テーブル２８１ａにそのユーザーキーに対応してカラオケの選曲情報を記憶できるようにする。そのユーザーキーで、個人等のＷＥＢページを開いて（Ｓ４）、新譜情報からの選択又は全曲検索を行い（Ｓ５）、好みの曲の登録を指示すると（Ｓ７）、個人用選曲本テーブル２８１ａに登録する（Ｓ８）。【選択図】　図１０
2004144956.tif 000002
【特許請求の範囲】
【請求項１】
携帯通信端末と個人用選曲本サーバとを通信ネットワークを介して接続し、前記個人用選曲本サーバに記憶された音楽再生装置で再生される楽曲の曲情報を前記携帯通信端末で閲覧可能とする個人用選曲本システムであって、
前記個人用選曲本サーバは、
前記携帯通信端末から送信された電子メールを受信するサーバ側電子メール受信手段と、
前記サーバ側電子メール受信手段が受信した電子メールの発信元情報に基づいて、前記ＷＥＢページを示す固有アドレスを作成する固有アドレス作成手段と、前記固有アドレスに対応して前記曲情報を個別に記憶した個人用選曲本データベース記憶手段と、
前記固有アドレス作成手段が作成した前記固有アドレスを含む電子メールを作成するサーバ側電子メール作成手段と、
当該サーバ側電子メール作成手段が作成した電子メールを前記携帯通信端末に送信するサーバ側電子メール送信手段とを備え、
前記携帯通信端末は、
電子メールやＷＥＢページを表示する表示手段と、
電子メールを作成する端末側電子メール作成手段と、
当該端末側電子メール作成手段が作成した電子メールを送信する端末側電子メール送信手段と、
電子メールを受信する端末側電子メール受信手段と、
前記端末側電子メール受信手段が受信した電子メールにより通知された固有アドレスに基づいて前記個人用選曲本データベース記憶手段に記憶された曲情報をＷＥＢページとして前記表示手段に表示する閲覧手段と
を備えたことを特徴とする個人用選曲本システム。
【請求項２】
前記固有アドレス作成手段は、前記サーバ側電子メール受信手段が受信した電子メールの発信元メールアドレスと、時刻に基づく時刻変数とを暗号化して、前記ＷＥＢページを示す固有アドレスを作成することを特徴とする請求項１に記載の個人用選曲本システム。
【請求項３】
前記個人用選曲本サーバは、
前記携帯通信端末が通信ネットワークを介して接続した場合に、当該携帯通信端末から当該携帯通信端末を識別する固有の識別情報を取得する識別情報取得手段と、
当該識別情報取得手段が取得した固有の識別情報を前記固有アドレスに対応させて記憶する識別情報記憶手段と、
当該識別情報記憶手段に記憶された固有の識別情報を備えた携帯通信端末が通信ネットワークを介して接続した場合に、当該固有の識別情報を取得して、前記個人用選曲本データベース記憶手段に記憶した前記曲情報をＷＥＢページとして表示するデータを作成する識別情報ＷＥＢページ作成手段と
を備えたことを特徴とする請求項１に記載の個人用選曲本システム。
【請求項４】
前記個人用選曲本サーバは、
前記楽曲の少なくとも曲名と、歌手名と、当該楽曲の選曲データとを対応させて記憶した全曲データベース記憶手段と、
当該全曲データベース記憶手段から、前記曲名又は歌手名に基づいて、前記楽曲を検索する全曲検索手段と、
当該全曲検索手段の検索結果をＷＥＢページとして表示させる全曲検索結果表示手段と、
当該ＷＥＢページに表示された全曲検索手段の検索結果から、前記携帯通信端末側から指定された楽曲の少なくとも選曲データを含む曲情報を前記個人用選曲本データベース記憶手段に記憶させる全曲検索結果記憶制御手段とを備えたことを特徴とする請求項１乃至３の何れかに記載の個人用選曲本システム。
【請求項５】
前記個人用選曲本サーバは、
所定期間内に前記音楽再生装置に新規に登録された楽曲の曲名と、歌手名と、当該楽曲の選曲データとを対応させて記憶した新曲データベース記憶手段と、
当該新曲データベース記憶手段から、前記携帯通信端末から指定された期間に前記音楽再生装置に登録された楽曲を検索する新曲検索手段と、
当該新曲検索手段の検索結果を前記ＷＥＢページとして表示させる新曲検索結果表示手段と、
当該ＷＥＢページに表示された新曲検索手段の検索結果から、前記携帯通信端末側から指定された楽曲の少なくとも選曲データを含む曲情報を前記個人用選曲本データベース記憶手段に記憶させる新曲検索結果記憶制御手段とを備えたことを特徴とする請求項１乃至４の何れかに記載の個人用選曲本システム。
【請求項６】
前記個人用選曲本サーバは、前記個人用選曲本データベース記憶手段に記憶された曲情報から少なくとも曲名と、歌手名と、選曲データとをＷＥＢページとして表示するデータを作成する個人用選曲本ＷＥＢページデータ作成手段を備えたことを特徴とする請求項１乃至５の何れかに記載の個人用選曲本システム。
【請求項７】
前記個人用選曲本サーバは、前記個人用選曲本データベース記憶手段に記憶された曲情報中で前記携帯通信端末側から指定された楽曲について、得意曲として記憶する得意曲記憶手段と、
当該得意曲記憶手段に得意曲として記憶された曲情報をＷＥＢページとして表示するデータを作成する得意曲ＷＥＢページデータ作成手段とを備えたことを特徴とする請求項１乃至６の何れかに記載の個人用選曲本システム。
【請求項８】
前記個人用選曲本サーバは、
前記個人用選曲本データベース記憶手段に記憶された曲情報に関して、歌手名順、登録順、曲名順の何れの順で表示するかを前記携帯通信端末側から指定された表示順で、表示ＷＥＢページデータを作成する表示ＷＥＢデータ作成手段と
を備えたことを特徴とする請求項１乃至７の何れかに記載の個人用選曲本システム。
【請求項９】
前記個人用選曲本データベース記憶手段に記憶された曲情報を削除する削除手段を備えたことを特徴とする請求項１乃至８の何れかに記載の個人用選曲本システム。
【請求項１０】
前記個人用選曲本サーバは、
前記固有アドレスに対応して設けられ、第２のメールアドレスを入力するメールアドレス入力画面ＷＥＢページを表示するためのＷＥＢページデータを記憶するＷＥＢページデータ記憶手段と、
前記メールアドレス入力画面ＷＥＢページにおいて、前記携帯通信端末側から入力された第２のメールアドレスに基づいて、当該第２のメールアドレスに固有の前記曲情報を表示するＷＥＢページを示す第２の固有アドレスを作成する第２の固有アドレス作成手段と、
前記固有アドレスに対応して前記個人用選曲本データベース記憶手段に記憶された前記曲情報を複製して、前記第２の固有アドレスに対応して前記個人用選曲本データベース記憶手段に記憶させるデータ複製記憶手段とを備え、
前記サーバ側電子メール作成手段は、前記第２の固有アドレス作成手段が作成した前記第２の固有アドレスを含む電子メールを作成し、
前記サーバ側電子メール送信手段は、前記サーバ側電子メール作成手段が作成した電子メールを前記第２のメールアドレスの携帯通信端末に送信することを特徴とする請求項１乃至９の何れかに記載の個人用選曲本システム。
【請求項１１】
前記個人用選曲本サーバは、
前記選曲データを前記音楽再生装置と符号体系の異なる他の音楽再生装置用の符号に変換するために、前記符号と符号体系の異なる他の音楽再生装置用の符号とを対応させて記憶する符号変換テーブル記憶手段と、
当該符号変換テーブル記憶手段から利用する符号体系を選択する符号体系選択画面のＷＥＢページを表示するための符号体系選択ＷＥＢページデータを記憶した符号体系選択ＷＥＢページデータ記憶手段と、
当該符号体系選択ＷＥＢページ上で前記携帯通信端末側から指定された符号体系で、前記選曲データを表示するＷＥＢページのデータを作成する符号変換ＷＥＢページデータ作成手段と
を備えたことを特徴とする請求項１乃至１０の何れかに記載の個人用選曲本システム。
【請求項１２】
携帯通信端末と通信ネットワークを介して接続され、音楽再生装置で再生される楽曲の曲情報を前記携帯通信端末でＷＥＢページとして閲覧可能とする個人用選曲本サーバであって、
前記携帯通信端末から送信された電子メールを受信するサーバ側電子メール受信手段と、
前記サーバ側電子メール受信手段が受信した電子メールの発信元情報に基づいて、前記ＷＥＢページを示す固有アドレスを作成する固有アドレス作成手段と、前記固有アドレスに対応して前記曲情報を個別に記憶した個人用選曲本データベース記憶手段と、
前記固有アドレス作成手段が作成した前記固有アドレスを含む電子メールを作成するサーバ側電子メール作成手段と、
当該サーバ側電子メール作成手段が作成した電子メールを前記携帯通信端末に送信するサーバ側電子メール送信手段と
を備えたことを特徴とする個人用選曲本サーバ。
【請求項１３】
前記固有アドレス作成手段は、前記サーバ側電子メール受信手段が受信した電子メールの発信元メールアドレスと、時刻に基づく時刻変数とを暗号化して、前記ＷＥＢページを示す固有アドレスを作成することを特徴とする請求項１２に記載の個人用選曲本サーバ。
【請求項１４】
前記携帯通信端末が通信ネットワークを介して接続した場合に、当該携帯通信端末から当該携帯通信端末を識別する固有の識別情報を取得する識別情報取得手段と、
当該識別情報取得手段が取得した固有の識別情報を前記固有アドレスに対応させて記憶する識別情報記憶手段と、
当該識別情報記憶手段に記憶された固有の識別情報を備えた携帯通信端末が通信ネットワークを介して接続した場合に、当該固有の識別情報を取得して、前記個人用選曲本データベース記憶手段に記憶した前記曲情報をＷＥＢページとして表示するデータを作成する識別情報ＷＥＢページ作成手段と
を備えたことを特徴とする請求項１２に記載の個人用選曲本サーバ。
【請求項１５】
前記楽曲の少なくとも曲名と、歌手名と、当該楽曲の選曲データとを対応させて記憶した全曲データベース記憶手段と、
当該全曲データベース記憶手段から、前記曲名又は歌手名に基づいて、前記楽曲を検索する全曲検索手段と、
当該全曲検索手段の検索結果をＷＥＢページとして表示させる全曲検索結果表示手段と、
当該ＷＥＢページに表示された全曲検索手段の検索結果から、前記携帯通信端末側から指定された楽曲の少なくとも選曲データを含む曲情報を前記個人用選曲本データベース記憶手段に記憶させる全曲検索結果記憶制御手段とを備えたことを特徴とする請求項１２乃至１４の何れかに記載の個人用選曲本サーバ。
【請求項１６】
所定期間内に前記音楽再生装置に新規に登録された楽曲の曲名と、歌手名と、当該楽曲の選曲データとを対応させて記憶した新曲データベース記憶手段と、
当該新曲データベース記憶手段から、前記曲名又は歌手名に基づいて、前記楽曲を検索する新曲検索手段と、
当該新曲検索手段の検索結果をＷＥＢページとして表示させる新曲検索結果表示手段と、
当該ＷＥＢページに表示された新曲検索手段の検索結果から、前記携帯通信端末側から指定された楽曲の少なくとも選曲データを含む曲情報を前記個人用選曲本データベース記憶手段に記憶させる新曲検索結果記憶制御手段とを備えたことを特徴とする請求項１２乃至１５の何れかに記載の個人用選曲本サーバ。
【請求項１７】
前記個人用選曲本データベース記憶手段に記憶された曲情報から少なくとも曲名と、歌手名と、選曲データとをＷＥＢページとして表示するデータを作成する個人用選曲本ＷＥＢページデータ作成手段を備えたことを特徴とする請求項１２乃至１６の何れかに記載の個人用選曲本サーバ。
【請求項１８】
前記個人用選曲本データベース記憶手段に記憶された曲情報中で前記携帯通信端末側から指定された楽曲について、得意曲として記憶する得意曲記憶手段と、
当該得意曲記憶手段に得意曲として記憶された曲情報をＷＥＢページとして表示するデータを作成する得意曲ＷＥＢページデータ作成手段とを備えたことを特徴とする請求項１２乃至１７の何れかに記載の個人用選曲本サーバ。
【請求項１９】
前記個人用選曲本データベース記憶手段に記憶された曲情報に関して、歌手名順、登録順、曲名順の何れの順で表示するかを前記携帯通信端末側から指定された表示順で、表示ＷＥＢページデータを作成する表示ＷＥＢデータ作成手段と
を備えたことを特徴とする請求項１２乃至１８の何れかに記載の個人用選曲本サーバ。
【請求項２０】
前記個人用選曲本データベース記憶手段に記憶された曲情報を削除する削除手段を備えたことを特徴とする請求項１２乃至１９の何れかに記載の個人用選曲本サーバ。
【請求項２１】
前記固有アドレスに対応して設けられ、第２のメールアドレスを入力するメールアドレス入力画面ＷＥＢページを表示するためのＷＥＢページデータを記憶するＷＥＢページデータ記憶手段と、
前記メールアドレス入力画面ＷＥＢページにおいて、前記携帯通信端末側から入力された第２のメールアドレスに基づいて、当該第２のメールアドレスに固有の前記曲情報を表示するＷＥＢページを示す第２の固有アドレスを作成する第２の固有アドレス作成手段と、
前記固有アドレスに対応して前記個人用選曲本データベース記憶手段に記憶された前記曲情報を複製して、前記第２の固有アドレスに対応して前記個人用選曲本データベース記憶手段に記憶させるデータ複製記憶手段とを備え、
前記サーバ側電子メール作成手段は、前記第２の固有アドレス作成手段が作成した前記第２の固有アドレスを含む電子メールを作成し、
前記サーバ側電子メール送信手段は、前記サーバ側電子メール作成手段が作成した電子メールを前記第２のメールアドレスの携帯通信端末に送信することを特徴とする請求項１２乃至２０の何れかに記載の個人用選曲本サーバ。
【請求項２２】
前記選曲データを前記音楽再生装置と符号体系の異なる他の音楽再生装置用の符号に変換するために、前記符号と符号体系の異なる他の音楽再生装置用の符号とを対応させて記憶する符号変換テーブル記憶手段と、
当該符号変換テーブル記憶手段から利用する符号体系を選択する符号体系選択画面のＷＥＢページを表示するための符号体系選択ＷＥＢページデータを記憶した符号体系選択ＷＥＢページデータ記憶手段と、
当該符号体系選択ＷＥＢページ上で前記携帯通信端末側から指定された符号体系で、前記選曲データを表示するＷＥＢページのデータを作成する符号変換ＷＥＢページデータ作成手段と
を備えたことを特徴とする請求項１２乃至２１の何れかに記載の個人用選曲本サーバ。
【発明の詳細な説明】
【０００１】
【発明の属する技術分野】
本発明は、音楽再生装置で再生される楽曲の選曲のための曲情報を個別に記憶した個人用選曲本データベースを携帯通信端末で閲覧可能とする個人用選曲本システム及び個人用選曲本サーバに関するものである。
【０００２】
【従来の技術】
従来、カラオケ再生装置を利用する際には、利用者は、曲名とその曲に対応する数字、アルファベットなどからなる選曲番号を記載した冊子（俗に言う選曲本）から演奏する曲の曲名を探し出し、これに対応する選曲番号を選曲装置に入力して演奏曲を選択していた。また、カラオケ店には携帯電話やＰＤＡ等のパーソナル携帯情報端末の所持率の高い顧客が数多く来店することに着目し、携帯電話などパーソナル携帯情報端末をカラオケ再生装置の選曲用のツールとして用いる提案がなされている（例えば、特許文献１参照）。さらに、携帯電話とインターネットを用いて選曲を行う提案もなされている（例えば、特許文献２参照）。さらに、サービス毎に特定のアドレスを割り振って、前記サービスのデータベースを有するサーバを設けて、ユーザが当該特定のアドレスにメールを送ることによって、そのサーバがそのアドレスに対応した情報を取り出してユーザに返信するサービス提供方法も知られている（例えば、特許文献３参照）。
【０００３】
【特許文献１】
特開２０００−１４８１６９公報
【特許文献２】
特開２００１−２３６０８２公報
【特許文献３】
特開２００１−３５６９９５公報
【０００４】
【発明が解決しようとする課題】
しかしながら、電話回線などの通信手段を介して楽曲データを配信する方式の、いわゆる通信カラオケ機器が一般的となった昨今、その収容曲は数万曲を数えるまでになっており、前記選曲本に収録される情報量は膨大なものとなっている。このような現状では選曲本を使用した選曲方式では、利用者は膨大な情報の中から目的の曲を探し出すことが必要となり、非常に不便であるという問題点があった。
【０００５】
また、前述の特許文献１及び特許文献２に記載の発明では、携帯端末において、インターネット網上に設置されている楽曲サーバーより曲情報を取得し、端末の表示装置に表示して、利用者が選択した曲の番号を利用者が使用するカラオケ機種メーカーの曲番号に変換してＩｒＤＡから制御コマンドを送るものであるが、この方式では、自分の好みの楽曲の曲情報を予め登録しておくことができないという問題点があった。また、特許文献３に記載に記載の発明では、サービス提供者側が予め登録した情報しか提供を受けることができず、自分の好みの楽曲の曲情報を予め登録しておいて、自分専用の選曲本のサービスの提供を受けることができないという問題点があった。
【０００６】
本発明は、上述した問題点を解決するためになされたものであり、携帯通信端末で、個人用選曲本サーバに記憶された曲情報を閲覧可能とする個人用選曲本システム及び個人用選曲本サーバを実現することを目的とする。
【０００７】
【課題を解決するための手段】
この目的を達成するために、請求項１に係る発明の個人用選曲本システムは、携帯通信端末と個人用選曲本サーバとを通信ネットワークを介して接続し、前記個人用選曲本サーバに記憶された音楽再生装置で再生される楽曲の曲情報を前記携帯通信端末で閲覧可能とする個人用選曲本システムであって、前記個人用選曲本サーバは、前記携帯通信端末から送信された電子メールを受信するサーバ側電子メール受信手段と、前記サーバ側電子メール受信手段が受信した電子メールの発信元情報に基づいて、前記ＷＥＢページを示す固有アドレスを作成する固有アドレス作成手段と、前記固有アドレスに対応して前記曲情報を個別に記憶した個人用選曲本データベース記憶手段と、前記固有アドレス作成手段が作成した前記固有アドレスを含む電子メールを作成するサーバ側電子メール作成手段と、当該サーバ側電子メール作成手段が作成した電子メールを前記携帯通信端末に送信するサーバ側電子メール送信手段とを備え、前記携帯通信端末は、電子メールやＷＥＢページを表示する表示手段と、電子メールを作成する端末側電子メール作成手段と、当該端末側電子メール作成手段が作成した電子メールを送信する端末側電子メール送信手段と、電子メールを受信する端末側電子メール受信手段と、前記端末側電子メール受信手段が受信した電子メールにより通知された固有アドレスに基づいて前記個人用選曲本データベース記憶手段に記憶された曲情報をＷＥＢページとして前記表示手段に表示する閲覧手段とを備えている。
【０００８】
この構成の個人用選曲本システムでは、携帯通信端末の端末側電子メール作成手段により電子メールを作成して、端末側電子メール送信手段で電子メールを送信すると、個人用選曲本サーバのサーバ側電子メール受信手段が電子メールを受信し、固有アドレス作成手段は、サーバ側電子メール受信手段が受信した電子メールの発信元情報に基づいて、ＷＥＢページを示す固有アドレスを作成する。個人用選曲本データベース記憶手段には、固有アドレスに対応して個別に記憶しており、サーバ側電子メール作成手段は、固有アドレス作成手段が作成した固有アドレスを含む電子メールを作成し、サーバ側電子メール送信手段はサーバ側電子メール作成手段が作成した電子メールを携帯通信端末に送信する。携帯通信端末の端末側電子メール受信手段は電子メールを受信し、表示手段は電子メールやＷＥＢページを表示し、閲覧手段は、受信した電子メールにより通知された固有アドレスに基づいて、個人用選曲本データベースに記憶された曲情報をＷＥＢページとして表示手段に表示する。
【０００９】
また、請求項２に係る発明の個人用選曲本システムは、請求項１に記載の発明の構成に加えて、前記固有アドレス作成手段は、前記サーバ側電子メール受信手段が受信した電子メールの発信元メールアドレスと、時刻に基づく時刻変数とを暗号化して、前記ＷＥＢページを示す固有アドレスを作成することを特徴とする。
【００１０】
この構成の個人用選曲本システムでは、請求項１に記載の発明の作用に加えて、固有アドレス作成手段は、サーバ側電子メール受信手段が受信した電子メールの発信元メールアドレスと、時刻に基づく時刻変数とを暗号化して、ＷＥＢページを示す固有アドレスを作成する。
【００１１】
また、請求項３に係る発明の個人用選曲本システムは、請求項１に記載の発明の構成に加えて、前記個人用選曲本サーバは、前記携帯通信端末が通信ネットワークを介して接続した場合に、当該携帯通信端末から当該携帯通信端末を識別する固有の識別情報を取得する識別情報取得手段と、当該識別情報取得手段が取得した固有の識別情報を前記固有アドレスに対応させて記憶する識別情報記憶手段と、当該識別情報記憶手段に記憶された固有の識別情報を備えた携帯通信端末が通信ネットワークを介して接続した場合に、当該固有の識別情報を取得して、前記個人用選曲本データベース記憶手段に記憶した前記曲情報をＷＥＢページとして表示するデータを作成する識別情報ＷＥＢページ作成手段とを備えている。
【００１２】
この構成の個人用選曲本システムでは、請求項１に記載の発明の作用に加えて、個人用選曲本サーバの識別情報取得手段は、携帯通信端末が通信ネットワークを介して接続した場合に、携帯通信端末から携帯通信端末を識別する固有の識別情報を取得し、識別情報記憶手段は、識別情報取得手段が取得した固有の識別情報を固有アドレスに対応させて記憶する。識別情報ＷＥＢページ作成手段は、識別情報記憶手段に記憶された固有の識別情報を備えた携帯通信端末が通信ネットワークを介して接続した場合に、固有の識別情報を取得して、個人用選曲本データベース記憶手段に記憶した曲情報をＷＥＢページとして表示するデータを作成する。
【００１３】
また、請求項４に係る発明の個人用選曲本システムは、請求項１乃至３の何れかに記載の発明の構成に加えて、前記個人用選曲本サーバは、前記楽曲の少なくとも曲名と、歌手名と、当該楽曲の選曲データとを対応させて記憶した全曲データベース記憶手段と、当該全曲データベース記憶手段から、前記曲名又は歌手名に基づいて、前記楽曲を検索する全曲検索手段と、当該全曲検索手段の検索結果をＷＥＢページとして表示させる全曲検索結果表示手段と、当該ＷＥＢページに表示された全曲検索手段の検索結果から、前記携帯通信端末側から指定された楽曲の少なくとも選曲データを含む曲情報を前記個人用選曲本データベース記憶手段に記憶させる全曲検索結果記憶制御手段とを備えている。
【００１４】
この構成の個人用選曲本システムでは、請求項１乃至３の何れかに記載の発明の作用に加えて、個人用選曲本サーバの全曲データベース記憶手段には、楽曲の少なくとも曲名と、歌手名と、当該選曲データとを対応させて記憶し、全曲検索手段により当該全曲データベース記憶手段から曲名又は歌手名に基づいて楽曲を検索すると、全曲検索結果表示手段が全曲検索手段の検索結果をＷＥＢページとして表示させる。全曲検索結果記憶制御手段は、ＷＥＢページに表示された全曲検索手段の検索結果から、携帯通信端末側から指定された楽曲の少なくとも選曲データを含む曲情報を個人用選曲本データベース記憶手段に記憶させる。
【００１５】
また、請求項５に係る発明の個人用選曲本システムは、請求項１乃至４の何れかに記載の発明の構成に加えて、前記個人用選曲本サーバは、所定期間内に前記音楽再生装置に新規に登録された楽曲の曲名と、歌手名と、当該楽曲の選曲データとを対応させて記憶した新曲データベース記憶手段と、当該新曲データベース記憶手段から、前記携帯通信端末から指定された期間に前記音楽再生装置に登録された楽曲を検索する新曲検索手段と、当該新曲検索手段の検索結果を前記ＷＥＢページとして表示させる新曲検索結果表示手段と、当該ＷＥＢページに表示された新曲検索手段の検索結果から、前記携帯通信端末側から指定された楽曲の少なくとも選曲データを含む曲情報を前記個人用選曲本データベース記憶手段に記憶させる新曲検索結果記憶制御手段とを備えている。
【００１６】
この構成の個人用選曲本システムでは、請求項１乃至４の何れかに記載の発明の作用に加えて、個人用選曲本サーバの新曲データベースには、所定期間内に前記音楽再生装置に新規に登録された楽曲の曲名と、歌手名と、当該選曲データとが対応されて記憶され、新曲検索手段は、携帯通信端末から指定された期間に音楽再生装置に登録された楽曲を検索する。新曲検索結果表示手段は、新曲検索手段の検索結果をＷＥＢページとして表示させ、新曲検索結果記憶制御手段は、ＷＥＢページに表示された新曲検索手段の検索結果から、携帯通信端末側から指定された楽曲の少なくとも選曲データを含む曲情報を個人用選曲本データベース記憶手段に記憶させる。
【００１７】
また、請求項６に係る発明の個人用選曲本システムは、請求項１乃至５の何れかに記載の発明の構成に加えて、前記個人用選曲本サーバは、前記個人用選曲本データベース記憶手段に記憶された曲情報から少なくとも曲名と、歌手名と、選曲データとをＷＥＢページとして表示するデータを作成する個人用選曲本ＷＥＢページデータ作成手段を備えている。
【００１８】
この構成の個人用選曲本システムは、請求項１乃至５の何れかに記載の発明の作用に加えて、個人用選曲本サーバの個人用選曲本ＷＥＢページデータ作成手段は、個人用選曲本データベース記憶手段に記憶された曲情報から少なくとも曲名と、歌手名と、選曲データとをＷＥＢページとして表示するデータを作成する。
【００１９】
また、請求項７に係る発明の個人用選曲本システムは、請求項１乃至６の何れかに記載の発明の構成に加えて、前記個人用選曲本サーバは、前記個人用選曲本データベース記憶手段に記憶された曲情報中で前記携帯通信端末側から指定された楽曲について、得意曲として記憶する得意曲記憶手段と、当該得意曲記憶手段に得意曲として記憶された曲情報をＷＥＢページとして表示するデータを作成する得意曲ＷＥＢページデータ作成手段とを備えている。
【００２０】
この構成の個人用選曲本システムは、請求項１乃至６の何れかに記載の発明の作用に加えて、個人用選曲本サーバの得意曲記憶手段は、個人用選曲本データベース記憶手段に記憶された曲情報中で携帯通信端末側から指定された楽曲について、得意曲として記憶させ、得意曲ＷＥＢページデータ作成手段は、得意曲記憶手段に得意曲として記憶された曲情報をＷＥＢページとして表示するデータを作成する。
【００２１】
また、請求項８に係る発明の個人用選曲本システムは、請求項１乃至７の何れかに記載の発明の構成に加えて、前記個人用選曲本サーバは、前記個人用選曲本データベース記憶手段に記憶された曲情報に関して、歌手名順、登録順、曲名順の何れの順で表示するかを前記携帯通信端末側から指定された表示順で、表示ＷＥＢページデータを作成する表示ＷＥＢデータ作成手段とを備えている。
【００２２】
この構成の個人用選曲本システムは、請求項１乃至７の何れかに記載の発明の作用に加えて、携帯通信端末側から指定された表示順で、個人用選曲本データベース記憶手段に記憶された曲情報に関して、歌手名順、登録順、曲名順の何れかの順で表示ＷＥＢページデータを作成する。
【００２３】
また、請求項９に係る発明の個人用選曲本システムは、請求項１乃至８の何れかに記載の発明の構成に加えて、前記個人用選曲本データベース記憶手段に記憶された曲情報を削除する削除手段を備えている。
【００２４】
この構成の個人用選曲本システムは、請求項１乃至８の何れかに記載の発明の作用に加えて、削除手段は、個人用選曲本データベース記憶手段に記憶された曲情報を削除する。
【００２５】
また、請求項１０に係る発明の個人用選曲本システムは、請求項１乃至９の何れかに記載の発明の構成に加えて、前記個人用選曲本サーバは、前記固有アドレスに対応して設けられ、第２のメールアドレスを入力するメールアドレス入力画面ＷＥＢページを表示するためのＷＥＢページデータを記憶するＷＥＢページデータ記憶手段と、前記メールアドレス入力画面ＷＥＢページにおいて、前記携帯通信端末側から入力された第２のメールアドレスに基づいて、当該第２のメールアドレスに固有の前記曲情報を表示するＷＥＢページを示す第２の固有アドレスを作成する第２の固有アドレス作成手段と、前記固有アドレスに対応して前記個人用選曲本データベース記憶手段に記憶された前記曲情報を複製して、前記第２の固有アドレスに対応して前記個人用選曲本データベース記憶手段に記憶させるデータ複製記憶手段とを備え、前記サーバ側電子メール作成手段は、前記第２の固有アドレス作成手段が作成した前記第２の固有アドレスを含む電子メールを作成し、前記サーバ側電子メール送信手段は、前記サーバ側電子メール作成手段が作成した電子メールを前記第２のメールアドレスの携帯通信端末に送信することを特徴とする構成となっている。
【００２６】
この構成の個人用選曲本システムは、請求項１乃至９の何れかに記載の発明の作用に加えて、個人用選曲本サーバのＷＥＢページデータには、固有アドレスに対応して設けられ、第２のメールアドレスを入力するメールアドレス入力画面ＷＥＢページを表示するためデータが記憶され、第２の固有アドレス作成手段は、メールアドレス入力画面ＷＥＢページにおいて、携帯通信端末側から入力された第２のメールアドレスに基づいて、第２のメールアドレスに固有の前記選曲情報を表示するＷＥＢページを示す第２の固有アドレスを作成する。データ複製記憶手段は、固有アドレスに対応して前記個人用選曲本データベース記憶手段に記憶された選曲情報を複製して、第２の固有アドレスに対応して個人用選曲本データベース記憶手段に記憶させる。サーバ側電子メール作成手段は、第２の固有アドレス作成手段が作成した第２の固有アドレスを含む電子メールを作成し、サーバ側電子メール送信手段は、サーバ側電子メール作成手段が作成した電子メールを第２のメールアドレスの携帯通信端末に送信する。
【００２７】
また、請求項１１に係る発明の個人用選曲本システムは、請求項１乃至１０の何れかに記載の発明の構成に加えて、前記個人用選曲本サーバは、前記選曲データを前記音楽再生装置と符号体系の異なる他の音楽再生装置用の符号に変換するために、前記符号と符号体系の異なる他の音楽再生装置用の符号とを対応させて記憶する符号変換テーブル記憶手段と、当該符号変換テーブル記憶手段から利用する符号体系を選択する符号体系選択画面のＷＥＢページを表示するための符号体系選択ＷＥＢページデータを記憶した符号体系選択ＷＥＢページデータ記憶手段と、当該符号体系選択ＷＥＢページ上で前記携帯通信端末側から指定された符号体系で、前記選曲データを表示するＷＥＢページのデータを作成する符号変換ＷＥＢページデータ作成手段とを備えている。
【００２８】
この構成の個人用選曲本システムは、請求項１乃至１０の何れかに記載の発明の作用に加えて、符号変換テーブル記憶手段は、選曲データを音楽再生装置と符号体系の異なる他の音楽再生装置用の符号に変換するために、前記符号と符号体系の異なる他の音楽再生装置用の符号とを対応させて記憶する。符号体系選択ＷＥＢページデータ記憶手段には、当該符号変換テーブル記憶手段から利用する符号体系を選択する符号体系選択画面のＷＥＢページを表示するためのデータが記憶され、符号変換ＷＥＢページデータ作成手段は、符号体系選択ＷＥＢページ上で携帯通信端末側から指定された符号体系で、選曲データを表示するＷＥＢページのデータを作成する。
【００２９】
また、請求項１２に係る発明の個人用選曲本サーバは、携帯通信端末と通信ネットワークを介して接続され、音楽再生装置で再生される楽曲の曲情報を前記携帯通信端末でＷＥＢページとして閲覧可能とする個人用選曲本サーバであって、前記携帯通信端末から送信された電子メールを受信するサーバ側電子メール受信手段と、前記サーバ側電子メール受信手段が受信した電子メールの発信元情報に基づいて、前記ＷＥＢページを示す固有アドレスを作成する固有アドレス作成手段と、前記固有アドレスに対応して前記曲情報を個別に記憶した個人用選曲本データベース記憶手段と、前記固有アドレス作成手段が作成した前記固有アドレスを含む電子メールを作成するサーバ側電子メール作成手段と、当該サーバ側電子メール作成手段が作成した電子メールを前記携帯通信端末に送信するサーバ側電子メール送信手段とを備えている。
【００３０】
この構成の個人用選曲本サーバでは、携帯通信端末から電子メールを送信すると、サーバ側電子メール受信手段が電子メールを受信し、固有アドレス作成手段は、サーバ側電子メール受信手段が受信した電子メールの発信元情報に基づいて、ＷＥＢページを示す固有アドレスを作成する。個人用選曲本データベース記憶手段には、固有アドレスに対応して個別に記憶しており、サーバ側電子メール作成手段は、固有アドレス作成手段が作成した固有アドレスを含む電子メールを作成し、サーバ側電子メール送信手段はサーバ側電子メール作成手段が作成した電子メールを携帯通信端末に送信する。
【００３１】
また、請求項１３に係る発明の個人用選曲本サーバは、請求項１２に記載の発明の構成に加えて、前記固有アドレス作成手段は、前記サーバ側電子メール受信手段が受信した電子メールの発信元メールアドレスと、時刻に基づく時刻変数とを暗号化して、前記ＷＥＢページを示す固有アドレスを作成することを特徴とする構成となっている。
【００３２】
この構成の個人用選曲本サーバは、請求項１２に記載の発明の作用に加えて、固有アドレス作成手段は、サーバ側電子メール受信手段が受信した電子メールの発信元メールアドレスと、時刻に基づく時刻変数とを暗号化して、ＷＥＢページを示す固有アドレスを作成する。
【００３３】
また、請求項１４に係る発明の個人用選曲本サーバは、請求項１２に記載の発明の構成に加えて、前記携帯通信端末が通信ネットワークを介して接続した場合に、当該携帯通信端末から当該携帯通信端末を識別する固有の識別情報を取得する識別情報取得手段と、当該識別情報取得手段が取得した固有の識別情報を前記固有アドレスに対応させて記憶する識別情報記憶手段と、当該識別情報記憶手段に記憶された固有の識別情報を備えた携帯通信端末が通信ネットワークを介して接続した場合に、当該固有の識別情報を取得して、前記個人用選曲本データベース記憶手段に記憶した前記曲情報をＷＥＢページとして表示するデータを作成する識別情報ＷＥＢページ作成手段とを備えている。
【００３４】
この構成の個人用選曲本サーバでは、請求項１２に記載の発明の作用に加えて、識別情報取得手段は、携帯通信端末が通信ネットワークを介して接続した場合に、携帯通信端末から携帯通信端末を識別する固有の識別情報を取得し、識別情報記憶手段は、識別情報取得手段が取得した固有の識別情報を固有アドレスに対応させて記憶する。識別情報ＷＥＢページ作成手段は、識別情報記憶手段に記憶された固有の識別情報を備えた携帯通信端末が通信ネットワークを介して接続した場合に、固有の識別情報を取得して、個人用選曲本データベース記憶手段に記憶した曲情報をＷＥＢページとして表示するデータを作成する。
【００３５】
また、請求項１５に係る発明の個人用選曲本サーバは、請求項１２乃至１４の何れかに記載の発明の構成に加えて、前記楽曲の少なくとも曲名と、歌手名と、当該楽曲の選曲データとを対応させて記憶した全曲データベース記憶手段と、当該全曲データベース記憶手段から、前記曲名又は歌手名に基づいて、前記楽曲を検索する全曲検索手段と、当該全曲検索手段の検索結果をＷＥＢページとして表示させる全曲検索結果表示手段と、当該ＷＥＢページに表示された全曲検索手段の検索結果から、前記携帯通信端末側から指定された楽曲の少なくとも選曲データを含む曲情報を前記個人用選曲本データベース記憶手段に記憶させる全曲検索結果記憶制御手段とを備えたことを特徴とする構成となっている。
【００３６】
この構成の個人用選曲本サーバは、請求項１２乃至１４の何れかに記載の発明の作用に加えて、新曲データベースには、所定期間内に前記音楽再生装置に新規に登録された楽曲の曲名と、歌手名と、当該選曲データとが対応されて記憶され、新曲検索手段は、新曲データベース記憶手段から、曲名又は歌手名に基づいて、楽曲を検索する。新曲検索結果表示手段は、新曲検索手段の検索結果をＷＥＢページとして表示させ、新曲検索結果記憶制御手段は、ＷＥＢページに表示された新曲検索手段の検索結果から、携帯通信端末側から指定された楽曲の少なくとも選曲データを含む曲情報を個人用選曲本データベース記憶手段に記憶させる。
【００３７】
また、請求項１６に係る発明の個人用選曲本サーバは、請求項１２乃至１５の何れかに記載の発明の構成に加えて、所定期間内に前記音楽再生装置に新規に登録された楽曲の曲名と、歌手名と、当該楽曲の選曲データとを対応させて記憶した新曲データベース記憶手段と、当該新曲データベース記憶手段から、前記携帯通信端末から指定された期間に前記音楽再生装置に登録された楽曲を検索する新曲検索手段と、当該新曲検索手段の検索結果をＷＥＢページとして表示させる新曲検索結果表示手段と、当該ＷＥＢページに表示された新曲検索手段の検索結果から、前記携帯通信端末側から指定された楽曲の少なくとも選曲データを含む曲情報を前記個人用選曲本データベース記憶手段に記憶させる新曲検索結果記憶制御手段とを備えている。
【００３８】
この構成の個人用選曲本サーバは、請求項１２乃至１５の何れかに記載の発明の作用に加えて、新曲データベースには、所定期間内に前記音楽再生装置に新規に登録された楽曲の曲名と、歌手名と、当該選曲データとが対応されて記憶され、新曲検索手段は、携帯通信端末から指定された期間に音楽再生装置に登録された楽曲を検索する。新曲検索結果表示手段は、新曲検索手段の検索結果をＷＥＢページとして表示させ、新曲検索結果記憶制御手段は、ＷＥＢページに表示された新曲検索手段の検索結果から、携帯通信端末側から指定された楽曲の少なくとも選曲データを含む曲情報を個人用選曲本データベース記憶手段に記憶させる。
【００３９】
また、請求項１７に係る発明の個人用選曲本サーバは、請求項１２乃至１６の何れかに記載の発明の構成に加えて、前記個人用選曲本データベース記憶手段に記憶された曲情報から少なくとも曲名と、歌手名と、選曲データとをＷＥＢページとして表示するデータを作成する個人用選曲本ＷＥＢページデータ作成手段を備えている。
【００４０】
この構成の個人用選曲本サーバは、請求項１２乃至１６の何れかに記載の発明の作用に加えて、個人用選曲本サーバの個人用選曲本ＷＥＢページデータ作成手段は、個人用選曲本データベース記憶手段に記憶された曲情報から少なくとも曲名と、歌手名と、選曲データとをＷＥＢページとして表示するデータを作成する。
【００４１】
また、請求項１８に係る発明の個人用選曲本サーバは、請求項１２乃至１７の何れかに記載の発明の構成に加えて、前記個人用選曲本データベース記憶手段に記憶された曲情報中で前記携帯通信端末側から指定された楽曲について、得意曲として記憶する得意曲記憶手段と、当該得意曲記憶手段に得意曲として記憶された曲情報をＷＥＢページとして表示するデータを作成する得意曲ＷＥＢページデータ作成手段とを備えている。
【００４２】
この構成の個人用選曲本サーバは、請求項１２乃至１７の何れかに記載の発明の作用に加えて、得意曲記憶手段は、個人用選曲本データベース記憶手段に記憶された曲情報中で携帯通信端末側から指定された楽曲について、得意曲として記憶させ、得意曲ＷＥＢページデータ作成手段は、得意曲記憶手段に得意曲として記憶された曲情報をＷＥＢページとして表示するデータを作成する。
【００４３】
また、請求項１９に係る発明の個人用選曲本サーバは、請求項１２乃至１８の何れかに記載の発明の構成に加えて、前記個人用選曲本データベース記憶手段に記憶された曲情報に関して、歌手名順、登録順、曲名順の何れの順で表示するかを前記携帯通信端末側から指定された表示順で、表示ＷＥＢページデータを作成する表示ＷＥＢデータ作成手段とを備えている。
【００４４】
この構成の個人用選曲本サーバは、請求項１２乃至１８の何れかに記載の発明の作用に加えて、携帯通信端末側から指定された表示順で、個人用選曲本データベース記憶手段に記憶された曲情報に関して、歌手名順、登録順、曲名順の何れかの順で、表示ＷＥＢページデータを作成する。
【００４５】
また、請求項２０に係る発明の個人用選曲本サーバは、請求項１２乃至１９の何れかに記載の発明の構成に加えて、前記個人用選曲本データベース記憶手段に記憶された曲情報を削除する削除手段を備えている。
【００４６】
この構成の個人用選曲本サーバは、請求項１２乃至１９の何れかに記載の発明の作用に加えて、削除手段は、個人用選曲本データベース記憶手段に記憶された曲情報を削除する。
【００４７】
また、請求項２１に係る発明の個人用選曲本サーバは、請求項１２乃至２０の何れかに記載の発明の構成に加えて、前記固有アドレスに対応して設けられ、第２のメールアドレスを入力するメールアドレス入力画面ＷＥＢページを表示するためのＷＥＢページデータを記憶するＷＥＢページデータ記憶手段と、前記メールアドレス入力画面ＷＥＢページにおいて、前記携帯通信端末側から入力された第２のメールアドレスに基づいて、当該第２のメールアドレスに固有の前記曲情報を表示するＷＥＢページを示す第２の固有アドレスを作成する第２の固有アドレス作成手段と、前記固有アドレスに対応して前記個人用選曲本データベース記憶手段に記憶された前記曲情報を複製して、前記第２の固有アドレスに対応して前記個人用選曲本データベース記憶手段に記憶させるデータ複製記憶手段とを備え、前記サーバ側電子メール作成手段は、前記第２の固有アドレス作成手段が作成した前記第２の固有アドレスを含む電子メールを作成し、前記サーバ側電子メール送信手段は、前記サーバ側電子メール作成手段が作成した電子メールを前記第２のメールアドレスの携帯通信端末に送信することを特徴とする構成となっている。
【００４８】
この構成の個人用選曲本サーバは、請求項１２乃至２０の何れかに記載の発明の作用に加えて、ＷＥＢページデータには、固有アドレスに対応して設けられ、第２のメールアドレスを入力するメールアドレス入力画面ＷＥＢページを表示するためデータが記憶され、第２の固有アドレス作成手段は、メールアドレス入力画面ＷＥＢページにおいて、携帯通信端末側から入力された第２のメールアドレスに基づいて、第２のメールアドレスに固有の前記選曲情報を表示するＷＥＢページを示す第２の固有アドレスを作成する。データ複製記憶手段は、固有アドレスに対応して前記個人用選曲本データベース記憶手段に記憶された選曲情報を複製して、第２の固有アドレスに対応して個人用選曲本データベース記憶手段に記憶させる。サーバ側電子メール作成手段は、第２の固有アドレス作成手段が作成した第２の固有アドレスを含む電子メールを作成し、サーバ側電子メール送信手段は、サーバ側電子メール作成手段が作成した電子メールを第２のメールアドレスの携帯通信端末に送信する。
【００４９】
また、請求項２２に係る発明の個人用選曲本サーバは、請求項１２乃至２１の何れかに記載の発明の構成に加えて、前記選曲データを前記音楽再生装置と符号体系の異なる他の音楽再生装置用の符号に変換するために、前記符号と符号体系の異なる他の音楽再生装置用の符号とを対応させて記憶する符号変換テーブル記憶手段と、当該符号変換テーブル記憶手段から利用する符号体系を選択する符号体系選択画面のＷＥＢページを表示するための符号体系選択ＷＥＢページデータを記憶した符号体系選択ＷＥＢページデータ記憶手段と、当該符号体系選択ＷＥＢページ上で前記携帯通信端末側から指定された符号体系で、前記選曲データを表示するＷＥＢページのデータを作成する符号変換ＷＥＢページデータ作成手段とを備えている。
【００５０】
この構成の個人用選曲本サーバは、請求項１２乃至２１の何れかに記載の発明の作用に加えて、符号変換テーブル記憶手段は、選曲データを音楽再生装置と符号体系の異なる他の音楽再生装置用の符号に変換するために、前記符号と符号体系の異なる他の音楽再生装置用の符号とを対応させて記憶する。符号体系選択ＷＥＢページデータ記憶手段には、当該符号変換テーブル記憶手段から利用する符号体系を選択する符号体系選択画面のＷＥＢページを表示するためのデータが記憶され、符号変換ＷＥＢページデータ作成手段は、符号体系選択ＷＥＢページ上で携帯通信端末側から指定された符号体系で、選曲データを表示するＷＥＢページのデータを作成する。
【００５１】
【発明の実施の形態】
以下、本発明の実施の形態について図面を参照して説明する。まず、図１を参照して、本発明の一実施の形態の個人用選曲本システムのネットワーク機器構成について説明する。図１は、個人用選曲本システムのネットワーク機器構成を示す図である。
【００５２】
図１に示すように、個人用選曲本システム１は、電子メール作成機能、電子メールの送受信機能及びブラウザ機能を備えた携帯通信端末としての複数台の携帯電話２が基地局５とパケット通信網４で結ばれて、メールの送受信やＷＥＢページの閲覧等が可能となっている。尚、携帯電話２は、基地局５とは、通常の音声通信用のデジタル通信網により結ばれて音声通信も可能となっている。また、複数の基地局５は、全国各地に配置されており、通信センター６と専用回線７で結ばれている。通信センター６は、インターネット８により、個人用選曲本サーバ９に接続されている。従って、各携帯電話２は、個人用選曲本サーバ９との間で、電子メールの送受信及び個人用選曲本サーバ９に記憶されているＷＥＢページの閲覧等が可能となっており、パケット通信網４やインターネット８等により通信ネットワークが構成されている。
【００５３】
この構成の個人用選曲本システム１では、個人用選曲本サーバ９に個人毎のＷＥＢページを設けて、そのＷＥＢページに予め当該個人が登録した楽曲の選曲データとしての選曲番号と歌手名と曲名とを表示できるようにして、携帯電話２から自分のＷＥＢページを閲覧して、音楽再生装置としての通信カラオケ再生装置１１が設けられたカラオケボックス１０等で、選曲本を見なくても携帯電話２で容易に自分の得意な曲を通信カラオケ再生装置１１で再生させるための選曲番号を知ることができるようにしたものである。また、この個人用選曲本システム１の利用開始時には、電子メールを所定のアドレスに送信するだけで容易にサービスの提供を受けられるようにしたものである。尚、カラオケボックス１０の通信カラオケ装置１１は、この個人用選曲本システム１とは、別のネットワークを介してホスト（図示せず）と接続されている。
【００５４】
次に、図２を参照して、個人用選曲本サーバ９の構造を説明する。図２は、個人用選曲本サーバ９の構造を示すブロックである。図２に示すように、個人用選曲本サーバ９には、個人用選曲本サーバ９の制御を司るＣＰＵ２０が設けられ、ＣＰＵ２０には、各種のデータを一時的に記憶するＲＡＭ２１と、ＢＩＯＳ等を記憶したＲＯＭ２２と、データの受け渡しの仲介を行うＩ／Ｏバス２３とが接続されている。Ｉ／Ｏバス２３には、記憶手段としてのハードディスク装置２８が接続され、当該ハードディスク装置２８には、利用者登録記憶手段としての利用者登録テーブル記憶エリア２８０と、個人用選曲本データベース記憶手段としての個人用選曲本テーブル記憶エリア２８１と、新曲データベース記憶手段としての新譜楽曲テーブル記憶エリア２８２と、全曲データベース記憶手段としての全曲テーブル記憶エリア２８３と、符号変換テーブル記憶手段としての選曲番号変換テーブル記憶エリア２８４と、ＣＰＵ２０で実行されるプログラムを記憶したプログラム記憶手段としてのプログラム記憶エリア２８５と、その他の情報記憶エリア２８６とが設けられている。
【００５５】
また、Ｉ／Ｏバス２３には、ビデオコントローラ２４と、キーコントローラ２５と、ＣＤ−ＲＯＭドライブ２６と、ＬＡＮカード２９とが接続されている。また、ビデオコントローラ２４には液晶表示装置３０が接続され、キーコントローラ２５にはキーボード３１が接続され、ＬＡＮカード２９にはルータ３２が接続され、さらに、ルータ３２は、インターネット８に接続されている。
【００５６】
なお、ＣＤ−ＲＯＭドライブ２６に挿入されるＣＤ−ＲＯＭ２７には、個人用選曲本システムを提供するためにＣＰＵ２０に実行させるための後述する各フローチャートの制御プログラムが記憶されており、導入時には、制御プログラムは、ＣＤ−ＲＯＭ２７から、ハードディスク装置２８にセットアップされてプログラム記憶エリア２８５に記憶されるようになっている。また、新譜楽曲テーブル記憶エリア２８２、全曲テーブル記憶エリア２８３、選曲番号変換テーブル記憶エリア２８４にもＣＤ−ＲＯＭ２７から読み出された情報がＣＤ−ＲＯＭドライブ２６を介して記憶されるようになっている。
【００５７】
まず、図３を参照して、携帯通信端末としての携帯電話２の構成を説明する。図３は、携帯電話の外観図である。図３に示すように、携帯電話２には、表示手段としての液晶表示装置から成る表示画面２ａと、入力手段としてのテン・キー入力部２ｂと、ジョグポインタ２ｃと、通話開始ボタン２ｄと、通話終了ボタン２ｅと、アンテナ２ｆと、マイク２ｇと、スピーカー２ｈと、機能選択ボタン２ｉ，２ｊとが設けられている。尚、テン・キー入力部２ｂ、ジョグポインタ２ｃ、通話開始ボタン２ｄ、通話終了ボタン２ｅ、機能選択ボタン２ｉ、２ｊ等によりキー入力部２ｔが構成される。また、携帯電話２では、電子メール作成機能、電子メール送受信機能、ＷＥＢページを閲覧するためのブラウザ機能が後述するＣＰＵ２ｋ１により実現可能となっている。
【００５８】
次に、図４を参照して、携帯電話２の回路の構成を説明する。図４は、携帯電話２の回路のブロック図である。図４に示すように、携帯電話２には、マイク２ｇからの音声信号の増幅及びスピーカ２ｈから出力する音声の増幅等を行うアナログフロントエンド２ｒと、アナログフロントエンド２ｒで増幅された音声信号のデジタル信号化及びモデム２ｐから受け取ったデジタル信号をアナログフロントエンド２ｒで増幅できるようにアナログ信号化する音声コーディック部２ｑと、変復調を行うモデム部２ｐと、アンテナ２ｆから受信した電波の増幅及び検波を行い、また、キャリア信号をモデム２ｐから受け取った信号により変調し、増幅する送受信部２ｏが設けられている。また、携帯電話２には、携帯電話２全体の制御を行う制御部２ｋが設けられ、制御部２ｋには、ＣＰＵ２ｋ１と、データを一時的に記憶するＲＡＭ２ｋ２と、時計機能部２ｋ３とが内蔵されている。さらに、制御部２ｋには、制御部２ｋのＣＰＵ２ｋ１で実行される電子メール作成機能、電子メール送信機能、ＷＥＢページを閲覧するブラウザ機能等を実現する各種のプログラムを記憶したＲＯＭ２ｍと、文字等を入力するキー入力部２ｔと、表示装置２ａと、受信した電子メールやＷＥＢページのＵＲＬ等を記憶する不揮発メモリからなる記憶部２ｌと、着信音を発生するメロディ発生器２ｎが接続され、メロディ発生部２ｎには、メロディ発生器２ｎで発生した着信音を発声するスピーカ２ｓが接続されている。
【００５９】
次に、図５を参照して、個人用選曲本サーバ９のハードディスク装置２８の利用者登録記憶手段としての利用者登録テーブル記憶エリア２８０に記憶されている利用者登録情報としての利用者登録テーブル２８０ａについて説明する。図５は、利用者登録テーブル２８０ａの構成を示す概念図である。図５に示すように、利用者登録テーブル２８０ａは、利用者別に付された利用者ナンバー２８０ａ１、利用者名２８０ａ２、ブラウザの種類２８０ａ３、携帯電話２の機種２８０ａ４、メールアドレス２８０ａ５、ユーザーキー２８０ａ６、現在利用者の会員登録が有効か否かを示す登録フラグ２８０ａ７、データの作成日２８０ａ８及びユーザーの携帯電話２から取得した識別符号であるＵＩＤ２８０ａ９から構成され、利用登録者テーブル記憶エリア２８０には、それらが一対として対応されて記憶されている。ユーザーキーの詳細については後述する。尚、この利用者登録テーブル２８０ａは、利用者が会員登録すると、登録された会員毎に作成され、その詳細は、後述する。
【００６０】
次に、図６を参照して、個人用選曲本サーバ９のハードディスク装置２８の個人用選曲本データベース記憶手段としての個人用選曲本テーブル記憶エリア２８１に記憶されている個人用選曲本情報としての個人用選曲本テーブル２８１ａについて説明する。図６は、個人用選曲本テーブル２８１ａの構成を示す概念図である。図６に示すように、個人用選曲本テーブル２８１ａは、ユーザーキー２８１ａ１、カラオケの楽曲の選曲のための選曲データ（選曲情報）としての選曲番号２８０ａ２、その曲が得意曲か否かを示す得意曲情報としての得意曲フラグ２８０ａ３、曲名２８０ａ４、歌手名２８０ａ５、消去情報としての消去フラグ２８０ａ６及び登録日２８０ａ７から構成され、個人用選曲本テーブル記憶エリア２８１には、それらが一対として対応して記憶されている。尚、この個人用選曲本テーブル２８１ａは、携帯電話２において、選んだ曲の個人ページへの登録の指示がなされる毎に作成され、その詳細は後述する。また、選曲番号２８０ａ２、曲名２８０ａ４及び歌手名２８０ａ５等により楽曲の曲情報が構成される。
【００６１】
次に、図７を参照して、個人用選曲本サーバ９のハードディスク装置２８の新曲データベース記憶手段としての新譜楽曲テーブル記憶エリア２８２に記憶されている新譜楽曲情報としての新譜楽曲テーブル２８２ａについて説明する。図７は、新譜楽曲テーブル２８２ａの構成を示す概念図である。図７に示すように、新譜楽曲テーブル２８２ａは、直近の所定期間内に配信された新曲のデータ、即ち曲情報をを記憶したものであり、カラオケの楽曲を選択するための選曲データ（選曲情報）としての選曲番号２８２ａ１、当該楽曲のＭＩＤＩデータ及び歌詞データを通信カラオケに配信した日である配信日２８２ａ２、曲名２８２ａ３、歌手名２８２ａ４及びその曲がテレビドラマの主題歌になっているか、ＣＭで使われているか等の情報であるコメント２８２ａ５から構成され、新譜楽曲テーブル記憶エリア２８２ａには、それらが一対として対応して記憶されている。尚、この新譜楽曲テーブル２８２ａは、ＣＤ−ＲＯＭドライブ２６を介して随時更新される。
【００６２】
次に、図８を参照して、個人用選曲本サーバ９のハードディスク装置２８の全曲データベース記憶手段としての全曲テーブル記憶エリア２８３に記憶されている全曲楽曲情報としての全曲テーブル２８３ａについて説明する。図８は、全曲テーブル２８３ａの構成を示す概念図である。図８に示すように、全曲テーブル２８３ａは、通信カラオケ再生装置１１に配信されている全ての曲のデータ、即ち、曲情報を記憶したものであり、カラオケの楽曲を選択するための選曲データ（選曲情報）としての選曲番号２８３ａ１、曲名２８３ａ２、曲名の読み方である曲名読み２８３ａ３、歌手名２８３ａ４、その歌手名の読み方である歌手名読み２８３ａ５、曲の歌い出し２８３ａ６及びその曲がテレビドラマの主題歌になっているか、ＣＭで使われているか等の情報であるコメント２８３ａ７から構成され、全曲テーブル記憶エリア２８３には、それらが一対として対応して記憶されている。尚、この全曲テーブル２８３ａは、ＣＤ−ＲＯＭドライブ２６を介して随時更新される。また、本実施の形態では、新譜楽曲テーブル２８２ａと全曲テーブル２８３ａとを分けて構成したが、全曲テーブル２８３ａに配信日と新譜か否かを示す新譜フラグをとを持たせることにより全曲テーブル２８３ａにより新譜楽曲テーブルを兼用させることもできる。
【００６３】
次に、図９を参照して、個人用選曲本サーバ９のハードディスク装置２８の符号変換テーブル記憶手段としての選曲番号変換テーブル記憶エリア２８４に記憶されている選曲データ変換情報としての選曲番号変換テーブル２８４ａについて説明する。図９は、選曲番号変換テーブル２８４ａの構成を示す概念図である。この選曲番号変換テーブル２８４ａは、通信カラオケ再生装置１１を提供している各社毎に異なる選曲データとしての選曲番号を変換するためのテーブルであり、同じ曲に対する各社の選曲番号２８４ａ１〜２８４ａ３、曲名２８４ａ４、歌手名２８４ａ５から構成され、選曲番号変換テーブル２８４ａには、それらが一対として対応して記憶されている。図９に示すように、例えば、楽曲「明日があるさ」の場合には、Ａ社では選曲番号が「２６６８６」であり、Ｂ社では「４４１７−２６」であり、Ｃ社では「１１０１−２５」である。従って、各社の選曲番号を対応して記憶することにより、ある楽曲に対する各社の選曲番号の表示が可能となっている。
【００６４】
以上のように構成された個人用選曲本システム１の動作について、図１０乃至図２１に示すフローチャートと図２２乃至図２７に示す携帯電話２の表示画面２ａのブラウザーの表示を参照して説明する。図１０は、携帯電話２と個人用選曲本サーバ９との間の動作の関係を示す概念図であり、図１１は、会員登録時の携帯電話２のＣＰＵ２ｋ１の動作を示すフローチャートであり、図１２は会員登録時の個人用選曲本サーバ９のＣＰＵ２０で行われる処理の動作のフローチャートであり、図１３は、曲情報を個人用選曲本テーブル２８１ａへの登録時の携帯電話２のＣＰＵ２ｋ１の動作を示すフローチャートであり、図１４は曲情報を登録時の個人用選曲本サーバ９のＣＰＵ２０で行われる処理の動作のフローチャートであり、図１５は、図１４に示すＳ３４のステップのサブルーチンのフローチャートであり、図１６は個人用選曲本の閲覧時の携帯電話２のＣＰＵ２ｋ１の動作を示すフローチャートであり、図１７は、個人用選曲本の内容の表示時の個人用選曲本サーバ９のＣＰＵ２０で行われる処理の動作のフローチャートであり、図１８は、個人用選曲本テーブル２８１ａから曲情報を削除時の携帯電話２のＣＰＵ２ｋ１の動作を示すフローチャートであり、図１９は、個人用選曲本に登録した曲情報の削除時の個人用選曲本サーバ９のＣＰＵ２０で行われる処理の動作のフローチャートであり、図２０は、友達紹介モード時の携帯電話２のＣＰＵ２ｋ１の動作を示すフローチャートであり、図２１は、個人用選曲本に登録した楽曲の友人への紹介時の個人用選曲本サーバ９のＣＰＵ２０で行われる処理の動作のフローチャートである。
【００６５】
また、図２２は、個人用選曲本サーバ９から携帯電話２へのユーザーキーを送り返したときの携帯電話２の表示画面２ａに表示されるメールの画面を示す図であり、図２３は、個人選曲本のインデックスのＷＥＢ画面を示す図であり、図２４は、新譜情報を選択するためのＷＥＢ画面を示す図であり、図２５は、得意曲ＷＥＢページの表示画面を示す図であり、図２６は、個人選曲本の内容のＷＥＢ画面を示す図であり、図２７は、友達への紹介時のＷＥＢ画面を示す図である。
【００６６】
まず、本実施の形態の個人選曲本システム１の動作の説明に先立って、大まかな動作概要を図１０を参照して説明する。
【００６７】
利用者は、この個人選曲本システムの利用に先立って、会員登録手続きを行う。会員登録手続きは、まず、自分が所有する携帯電話２から予め指定されている所定のメールアドレスに登録依頼のための電子メールを送信することで行われる（Ｓ１）。会費は、月単位でも年単位でもよく、携帯電話２の電話代と併せて銀行などの口座から引き落としても良いし、直接利用者の銀行などの口座から引き落とすようにしても差し支えない。
【００６８】
個人選曲本サーバ９は、会員登録用のアドレスに携帯電話２から電子メールを受信すると、このメールアドレス等に基づいて固有アドレス情報としてのユーザーキーを生成し、このユーザーキーを含む電子メールを作成して携帯電話２に送信する（Ｓ２）。
【００６９】
携帯電話２は、個人選曲本サーバ９からの電子メールを受信すると、表示画面２ａに図２２に示すようなメッセージが表示され、利用者は、会員登録が完了したことと、個人選曲本サーバ９上の、自分だけが専用で利用できるホームページ（ＷＥＢページ）のＵＲＬを知ることができる。
【００７０】
従って利用者は、それ以降、携帯電話２によってそのＵＲＬを開き（Ｓ３）、自分が好みの楽曲の曲情報（選曲番号、曲名、歌手名等）を登録すれば（Ｓ７）、自分専用の選曲本を個人選曲本サーバ９上に作成することができる（Ｓ８）。また、個人選曲本サーバ９上に作成した自分専用の選曲本は、ＵＲＬを開けば、図２６に示すように、携帯電話２の表示画面２ａに表示させることができ（Ｓ１１）、いつでも閲覧可能である。
【００７１】
このように本実施の形態によれば、個人選曲本サーバ９に会員登録のための電子メールを送信するのみで、個人選曲本サーバ９上に、自分だけが専用で利用できるホームページ（ＷＥＢページ）が開設されるため、非常に手続きが簡単である。また、それ以降、開設されたＷＥＢページを開いて自分が好みの楽曲の曲情報を登録すれば、自分専用の選曲本を個人選曲本サーバ９上に作成することができ、さらに、その作成した自分専用の選曲本は、携帯電話２からＷＥＢページを開いていつでも見ることができるので、便利である。
【００７２】
利用者が好みの楽曲の曲情報を開設されたＷＥＢページに登録する際のツールとして、新曲検索と全曲検索がある。携帯電話２から、新曲検索もしくは全曲検索の指示をすると（Ｓ５）、個人選曲本サーバ９は、携帯電話２からの指示に基づいてデータベースの検索をして、検索結果を携帯電話２に送信する（Ｓ６）。携帯電話２の表示画面２ａには、例えば図２４に示すように、検索結果が表示され、利用者は、携帯電話２の表示画面２ａに表示された楽曲の曲情報を閲覧し、登録を希望する楽曲があれば、その楽曲の登録を指示すれば（Ｓ７）、個人選曲本サーバ９上に開設されたＷＥＢページに自動的に登録することができ（Ｓ８）、自分専用の選曲本を容易に作成することができる。なお、新曲検索は、楽曲が配信された期間を検索キーとして検索することができ、また、全曲検索は、歌手名、曲名等を検索キーとして検索することができる。
【００７３】
また、個人選曲本サーバ９上に開設されたＷＥＢページに登録された楽曲の曲情報は、携帯電話２からの指示により容易に削除することができ、また、得意曲としての設定も容易にすることができる。
【００７４】
さらに、携帯電話２の表示画面２ａに表示された楽曲の曲情報をその携帯電話２の記憶部２ｌに記憶させれば（Ｓ１２）、いちいち個人選曲本サーバ９上に開設されたＷＥＢページを開かなくても見ることができ、特に電波が届きにくいカラオケボックス１０で使用する場合には便利である。
【００７５】
したがって、個人選曲本サーバ９のＣＰＵ２０は、本発明の、サーバ側電子メール受信手段、固有アドレス作成手段、サーバ側電子メール作成手段、サーバ側電子メール送信手段、識別情報取得手段、識別情報ＷＥＢページ作成手段、全曲検索手段、全曲検索結果表示手段、全曲検索結果記憶制御手段、新曲検索手段、新曲検索結果表示手段、新曲検索結果記憶制御手段、個人用選曲本ＷＥＢページデータ作成手段、得意曲ＷＥＢページデータ作成手段、表示ＷＥＢデータ作成手段、削除手段、第２の固有アドレス作成手段、符号変換ＷＥＢページデータ作成手段を構成する。また、携帯電話２のＣＰＵ２ｋ１は、端末側電子メール受信手段、端末側電子メール作成手段、端末側電子メール送信手段、閲覧手段を構成する。
【００７６】
次に、本実施の形態の個人選曲本システム１の動作の詳細説明を以下にする。本実施の形態の個人用選曲本システム１では、会員登録時には、まず、図１０に示すように、携帯電話２から予め指定されている所定のメールアドレス（個人用選曲本サーバ９の会員登録用のメールアドレス）へ登録依頼のために電子メールを送信する（Ｓ１）。この所定のメールアドレス宛に送信された電子メールは、パケット通信網４→基地局５→専用回線７→通信センター６→インターネット８→個人用選曲本サーバ９へと送られる。
【００７７】
以下、図１１及び図１２に示すフローチャートを参照して、図１０のＳ１に示す所定のメールアドレスへ電子メールを送信するときの携帯電話２でのＣＰＵ２ｋ１での処理及び図１０のＳ２に示す個人用ホームページ（ＷＥＢページ）ＵＲＬ入り返信メールを返す処理（Ｓ２）である個人用選曲本サーバ９のＣＰＵ２０での会員登録処理時のについて説明する。
【００７８】
携帯電話２では、図１１のフローチャートに示すように、テン・キー入力部２ｂから文字や記号を入力して電子メールを作成する（Ｓ１０１）。このＳ１０１の処理が電子メール作成手段に該当する。次いで、作成した電子メールを個人用選曲本サーバ９に送信する（Ｓ１０２）。このＳ１０２の処理が電子メール送信手段に相当する。
【００７９】
個人用選曲本サーバ９では、図１２に示すように、会員登録用のアドレスに電子メールを受信すると（Ｓ２１：ＹＥＳ）（このＳ２１の処理がサーバ側電子メール受信手段に相当する）、当該受信した電子メールから発信元情報としての発信者のメールアドレス（発信元メールアドレス）を取得する（Ｓ２２）。尚、このＳ２２の処理が発信元情報取得手段に相当する。次いで、この取得したメールアドレスとそのメールを受信した時刻（１９７０年１月１日からのうるう秒を除いた現在の秒数）（以下、「時刻変数」という。）をプログラムのｔｉｍｅ関数で取得して、そのメールアドレスと時刻変数を周知のＭＤ５関数により暗号化して固有アドレス情報としてのユーザーキーを生成する（Ｓ２３）。尚、このＳ２３の処理が固有アドレス作成手段に相当する。具体的には、前記メールアドレスと時刻変数とを連結して、ＭＤ５関数の引数にその連結した値を入力すると、１６進数の形でユーザーキーが生成される。例えば、「９ａ４ｃ４ｅａ４ａ４０８ｃ８７１６４１６８５ｅｃ９ｅｅ８２９ｃ５」や「４４１ｃｄ０ｃ６ａｅｆｃａ４ｆｂ６ｃ９４４ａｂ４７ｂ９９ｄａａｌ」等のユーザーキーが生成される。この時、このようにメールアドレスと時刻変数とに基づいてユーザーキーを生成するので、同じユーザーキーが生成されることはない。この生成されたユーザーキーから構成された「ｈｔｔｐ：／／ｊｏｙｓｏｎｇ．ｎｅｔ／ｍｙｐａｇｅ／ｉｎｄｅｘ．ｃｇｉ？ｉｄ＝ユーザーキー」をＵＲＬ（ＷＥＢページのアドレス）として、そのメールアドレス特有のＷＥＢページを個人用選曲本テーブル記憶エリア２８１に設定して表示できるようにする。例えば、ＵＲＬの一例としては、「ｈｔｔｐ：／／ｊｏｙｓｏｎｇ．ｎｅｔ／ｍｙｐａｇｅ／ｉｎｄｅｘ．ｃｇｉ？ｉｄ＝９ａ４ｃ４ｅａ４ａ４０８ｃ８７２ｒ６５ｆ４ｄ６ｅ３」となる。このように、本実施の形態では、メールアドレスと時刻変数に基づいてＭＤ５関数を用いて暗号化したユーザーキーによりＷＥＢページのＵＲＬを設定しているので、メールアドレス等からＵＲＬを連想（想到）することは困難となり、ＷＥＢページのＵＲＬの秘密性が高い。従って、他人から個人用選曲本テーブル記憶エリア２８１に記憶されたＷＥＢページを閲覧される恐れが少ない。
【００８０】
次いで、Ｓ２３の処理で生成されたユーザーキーから構成されたＵＲＬ（ｈｔｔｐ：／／ｊｏｙｓｏｎｇ．ｎｅｔ／ｍｙｐａｇｅ／ｉｎｄｅｘ．ｃｇｉ？ｉｄ＝ユーザーキー）を文面に記載した電子メールを作成し（Ｓ２４）、この電子メールをＳ２２で取得された発信者のメールアドレスに送信して、生成されたユーザーキーから構成されたＵＲＬを通知する（Ｓ２５）。尚、このＳ２４の処理がサーバー側電子メール作成手段に相当し、Ｓ２５の処理がサーバー側電子メール送信手段に相当する。次に、当該発信者の利用者Ｎｏ２８０ａ１、メールアドレス２８０ａ５、ユーザーキー２８０ａ６、登録フラグ２８０ａ７、作成日２８０ａ８を図５に示す利用者登録テーブル記憶エリア２８０に記憶する（Ｓ３４）。尚、上記の各情報の内、利用者Ｎｏは、自動的に昇順にふられる。尚、携帯電話２では、個人用選曲本サーバ９からユーザーキーを通知する返信の電子メールを受信する（Ｓ１０３）と、図２２に示す画面６１のように、ユーザーキーをＵＲＬとしたＷＥＢページ（ホームページ）のアドレスが表示画面２ａ上に表示される。尚、会員登録後に携帯電話２を用いてユーザーキーを用いて最初にＷＥＢページを開くと、ブラウザの種類及び携帯電話２の機種のデータを取り込んで、利用者登録テーブル２８０ａのブラウザ種類２８０ａ３、携帯機種２８０ａ４に記憶する。また、利用者名は別途、利用者の登録操作により利用者名２８０ａ２に記憶される。
【００８１】
次いで、図１０に戻り、携帯電話２では、通知されたユーザーキーから構成されたＵＲＬ（ｈｔｔｐ：／／ｊｏｙｓｏｎｇ．ｎｅｔ／ｍｙｐａｇｅ／ｉｎｄｅｘ．ｃｇｉ？ｉｄ＝ユーザーキー）でＷＥＢページを開く（図１０：Ｓ３）。すると、図２３に示すように、個人用選曲本サーバ９のハードディスク装置２８に記憶されたインデックスページの表示データに基づいて、個人用選曲本のインデックスページ６２（図２３）が表示画面２ａ上に表示される（図１０：Ｓ４）。ここで、携帯電話２では、新譜情報表示か全曲検索かをキー入力部２ｔを操作して選択し（図１０：Ｓ５）、その指示に従って、新譜情報表示又は全曲検索が個人用選曲本サーバ９側にて行われてその結果が携帯電話２の表示画面２ａ上に表示される（図１０：Ｓ６）。そして、表示画面２ａ上に表示された曲の中からキー入力部２ｔを操作して曲を選んだ後、個人のＷＥＢページに選んだ曲の登録を指示すると（図１０：Ｓ７）、個人用選曲本テーブル記憶エリア２８１に記憶されている個人用選曲本テーブル２８１ａに登録される（図１０：Ｓ８）。
【００８２】
このＳ４〜Ｓ８の処理に関して、携帯電話２で行われる処理を図１３を参照して詳細に説明し、個人用選曲本サーバ９で行われる処理を図１４及び図１５を参照して詳細に説明する。図１３のフローチャートに示すように携帯電話２では、まず、ジョグポインタ２ｃ及び機能選択ボタン２ｉ，２ｊを操作してＷＥＢページ閲覧モードにする（Ｓ１３１）。尚、このＳ１３１の処理が閲覧手段に該当する。個人用選曲本サーバ９からの会員登録通知の返信メールに記載されたＵＲＬ（ｈｔｔｐ：／／ｊｏｙｓｏｎｇ．ｎｅｔ／ｍｙｐａｇｅ／ｉｎｄｅｘ．ｃｇｉ？ｉｄ＝ユーザーキー）を携帯電話２の記憶部２ｌにブックマークとして登録しておいて、このＵＲＬを選択して、入力する（Ｓ１３２）。尚、個人用選曲本サーバ９からの会員登録通知の返信メールに記載されたＵＲＬ（ｈｔｔｐ：／／ｊｏｙｓｏｎｇ．ｎｅｔ／ｍｙｐａｇｅ／ｉｎｄｅｘ．ｃｇｉ？ｉｄ＝ユーザーキー）をアドレスとしてテン・キー入力部２ｂから入力しても良い（Ｓ１３２）。
【００８３】
個人用選曲本サーバ９では、図１４に示すように、携帯電話２から通知されたユーザーキーから構成されたアドレス（ＵＲＬ）で、個人用選曲本サーバ９に接続されると（Ｓ３１：ＹＥＳ）、そのユーザーキーを取り出して、図２３に示すメニュー表示を行うインデックスページ６２を表示するデータを携帯電話２に送信する（Ｓ３２）。
【００８４】
携帯電話２では、個人用選曲本サーバ９からメニュー表示を行うインデックスページ６２のデータを受信すると（図１３、Ｓ１３３：ＹＥＳ）、受信したデータに基づいてメニュー表示を行うインデックスページ６２を表示装置２ａに表示する（図１３、Ｓ１３４）。次いで、ジョグポインタ２ｃ及び機能選択ボタン２ｉ，２ｊを操作して、新譜情報表示又は全曲検索を指示する（図１３、Ｓ１３５）。個人用選曲本サーバ９では、当該指示を受信すると（図１４、Ｓ３３：ＹＥＳ）、ユーザーの指示に基づいて、個人用サーバ９のユーザーキーに対応して個人用選曲本テーブル記憶エリア２８１に記憶された個人用選曲本テーブル２８１ａに登録する曲を決定するために、新譜情報表示又は歌手名・曲名検索を行う（図１４、Ｓ３４）。このＳ３４の処理のサブルーチンを図１５に示すサブルーチンのフローチャートに基づいて説明する。
【００８５】
図１５に示すサブルーチンのフローチャートでは、まず、個人用選曲本サーバ９が新譜情報要求を受信すると（Ｓ３３１：ＹＥＳ）、新譜情報期間の選択画面を表示するデータを携帯電話２に送信する（Ｓ３３２）。この画面では、月を前半、後半に分けて選択できるようになっており、例えば、「０２年１０月前半」、「０２年９月後半」、「０２年９月前半」、「０２年８月後半」、「０２年８月前半」等が携帯電話２の表示画面２ａ上に表示されるので、携帯電話２側において、この中から何れかの期間がキー入力部２ｔの操作によって選択され（Ｓ３３３：ＹＥＳ）、該当期間の楽曲の新譜情報が新譜情報記憶エリア２８２に記憶された新譜楽曲テーブル２８２ａの中から検索され、その検索結果が図２４の新譜情報画面６３に示すように、「選曲番号、曲名、歌手名」が一組となって、順番に表示するための新譜表示データを携帯電話２に送信し（Ｓ３３４）、サブルーチンを終了する。また、該当期間の検索は、新譜楽曲テーブル２８２ａの配信日２８２ａ２に基づいて行われる。尚、このＳ３３４の処理が新曲検索手段及び新曲検索結果表示手段に相当する。
【００８６】
携帯電話２では、新譜表示データを受信すると（図１３、Ｓ１３６：ＹＥＳ）、当該、新譜表示データを表示装置２ａに表示する（図１３、Ｓ１３７）。次いで、携帯電話２では、表示装置２ａ上に表示された新譜楽曲の中から登録を希望する曲の選択をキー入力部２ｔを操作して行った後に選択曲の登録を指示する（図１３、Ｓ１３８）。尚、Ｓ１３８の処理が、新曲選択手段及び登録指示手段に該当する。
【００８７】
個人用選曲本サーバ９では、携帯電話２から選択された曲の登録の指示を受信すると（図１４、Ｓ３５：ＹＥＳ）、個人用選曲本テーブル記憶エリア２８１に記憶されている個人用選曲本テーブル２８１ａ（図６参照）に、ユーザーキー２８１ａ１、選曲番号２８１ａ２、曲名２８１ａ４、歌手名２８１ａ５、登録日２８１ａ７が一組として登録され（Ｓ３６）、個人用選曲本テーブル２８１ａは、１曲単位で作成される。また、Ｓ３５の判断処理で、携帯電話２から選択曲の登録曲の指示を受信しないときには（図１４、Ｓ３５：ＮＯ）、登録せず処理を終了する。尚、Ｓ３６の処理が新曲検索結果記憶制御手段に該当する。
【００８８】
また、全曲検索を携帯電話２から指定した場合には（図１３、Ｓ１３５）、個人用選曲本サーバ９では、所定の処理（判断）（図１５、Ｓ３３１：ＮＯ、Ｓ３３６：ＹＥＳ）を経て、全曲検索画面を表示する表示画面データを携帯電話２に送信する（図１５、Ｓ３３７）。携帯電話２では、キー入力部２ｔを操作して、検索する曲を曲名又は歌手名で指示する（図１３、Ｓ１３５）。個人用選曲本サーバ９では、通信カラオケ再生装置１１に登録されている全曲を対象として、全曲テーブル記憶エリア２８３に記憶されている全曲テーブル２８３ａを用いて曲名又は歌手名で検索を行う。ここで、曲名検索が指示された場合には（Ｓ３３８：ＹＥＳ）、全曲テーブル記憶エリア２８３に記憶された全曲テーブル２８３ａから曲名検索を行う（Ｓ３３９）。歌手名検索が指示された場合には（Ｓ３３８：ＮＯ、Ｓ３４１：ＹＥＳ）、全曲テーブル記憶エリア２８３に記憶された全曲テーブル２８３ａから歌手名検索を行う（Ｓ３４２）。尚、Ｓ３３９、Ｓ３４２の処理が全曲検索手段に相当する。次いで、その検索結果を携帯電話２の表示画面２ａに表示するための全曲検索結果表示画面データを携帯電話に送信し（Ｓ３４０）、サブルーチンを終了する。尚、Ｓ３４０の処理が全曲検索結果表示手段に該当する。携帯電話２では、送信された来た全曲検索結果表示画面データに基づいて、表示装置２ａに全曲検索結果を表示する（図１３、Ｓ１３７）。次いで、携帯電話２では、表示装置２ａ上に表示された曲の中から登録する曲の選択をキー入力部２ｔを操作して行った後に選択した曲の登録を指示する（図１３、Ｓ１３８）。尚、Ｓ３４０の処理が全曲検索結果表示手段に該当し、また、Ｓ１３８の処理が曲選択手段及び登録指示手段に該当する。
【００８９】
個人用選曲本サーバ９では、携帯電話２から選択された曲の登録の指示を受信すると（図１４、Ｓ３５：ＹＥＳ）、個人用選曲本テーブル記憶エリア２８１に記憶されている個人用選曲本テーブル２８１ａ（図６参照）にユーザーキー２８１ａ１、選曲番号２８１ａ２、曲名２８１ａ４、歌手名２８１ａ５、登録日２８１ａ７が一組として登録され（Ｓ３６）、個人用選曲本テーブル２８１ａは、新譜曲と区別されることなく一曲単位で作成される。尚、Ｓ３６の処理が全曲検索結果記憶制御手段に該当する。
【００９０】
また、携帯電話２から登録の指示がない場合（図１４、Ｓ３５：ＮＯ）には、個人用選曲本テーブル２８１ａを作成することなく処理を終了する。尚、個人用選曲本テーブル２８１ａは、新譜検索の結果の登録曲と、全曲検索の結果の登録曲とを区別して作成しても差し支えない。
【００９１】
次に、図１０に戻って、個人用選曲本のＷＥＢページに登録された選曲情報の表示について説明する。図２３に示す個人用選曲本インデックス画面６２で、「個人用選曲本を見る」の「登録曲一覧表示」を選択すると（図１０：Ｓ９）、個人用選曲本サーバ９の個人用選曲本テーブル記憶エリア２８１に記憶された個人用選曲本テーブル２８１ａに登録された曲の一覧表示データが携帯電話２に送信される（図１０：Ｓ１０）。
【００９２】
以下に、上記Ｓ９、Ｓ１０の処理に関して、携帯電話２で行われる処理を図１６を参照し、個人用選曲本サーバ９で行われる処理を図１７を参照して詳細に説明する。図１６のフローチャートに示すように携帯電話２では、まず、ジョグポインタ２ｃ及び機能選択ボタン２ｉ，２ｊを操作してＷＥＢページ閲覧モードにする（Ｓ１４１）。尚、このＳ１４１の処理が閲覧手段に該当する。次いで、ユーザーキーから構成されたアドレス（ＵＲＬ）をテン・キー入力部２ｂから入力する（Ｓ１４２）。
【００９３】
個人用選曲本サーバ９では、図１７に示すように、携帯電話２から通知されたユーザーキーから構成されたアドレス（ＵＲＬ）で、個人用選曲本サーバ９に接続されると（Ｓ４１：ＹＥＳ）、そのユーザーキーを取り出して（Ｓ４２）、図２３に示すメニュー表示を行うインデックスページ６２を表示するデータをハードディスク装置２８から読み出して、携帯電話２に送信する（Ｓ４２）。携帯電話２で、ジョグポインタ２ｃ等を用いて個人用選曲本を見るを指示すると（図１６、Ｓ１４３）、個人用選曲本サーバ９では、個人用選曲本表示の指示を受信した場合で（Ｓ４３：ＹＥＳ）、表示順変更指示を携帯電話２から受信した場合には（Ｓ４４：ＹＥＳ）、個人用選曲本テーブル記憶エリア２８１に記憶されている個人用選曲本テーブル２８１ａからＳ４２の処理で取り出したユーザーキーに該当する選曲番号２８１ａ２、曲名２８１ａ４、歌手名２８１ａ５の登録データを抽出した後、その登録データを指定された歌手名順又は登録順又は曲名順の何れかの順で並び換え（Ｓ４５）、その抽出した選曲番号２８１ａ２、曲名２８１ａ４、歌手名２８１ａ５を表示するデータを携帯電話２に送信する（Ｓ４７）。
【００９４】
また、個人用選曲本表示の指示を受信した場合で（Ｓ４３：ＹＥＳ）、表示順変更指示を携帯電話２から受信しない場合には（Ｓ４４：ＮＯ）、現在の表示順で、個人用選曲本テーブル記憶エリア２８１に記憶されている個人用選曲本テーブル２８１ａからＳ４２の処理で取り出したユーザーキーに該当する選曲番号２８１ａ２、曲名２８１ａ４、歌手名２８１ａ５の登録データを抽出し（Ｓ４６）、その抽出した選曲番号２８１ａ２、曲名２８１ａ４、歌手名２８１ａ５を表示するデータを携帯電話２に送信する（Ｓ４７）。尚、Ｓ４５〜Ｓ４６の処理が個人用選曲本ＷＥＢページデータ作成手段に該当し、Ｓ４５の処理が表示ＷＥＢデータ作成手段に該当する。
【００９５】
尚、Ｓ４５及びＳ４６の処理では、個人用選曲本テーブル２８１ａで消去フラグ２８１ａ６がオン（「１」）となっているデータは抽出されない。従って、Ｓ４６〜Ｓ４６の処理が削除手段に該当する。携帯電話２では、上記の個人用選曲本データを受信すると（図１６、Ｓ１４４：ＹＥＳ）、図２６に示す個人用選曲本の表示画面６５が携帯電話２の表示画面２ａに表示される（図１６、Ｓ１４５）。このため、個人用選曲本テーブル２８１ａで消去フラグ２８１ａ６がオン（「１」）となっているデータは表示されることはない。尚、Ｓ１４１〜Ｓ１４５の処理が、閲覧手段に該当する。
【００９６】
次に、図１８及び図１９を参照して、個人用選曲本テーブル２８１ａに記憶されている曲情報の削除について説明する。まず、図２６に示すように、携帯電話２の表示装置２ａに個人用選曲本の表示画面６５に登録された曲情報が表示されている状態で（図１８、Ｓ１５１）、削除が希望されている曲の削除ボタンがクリックされると（図１８、Ｓ１５２）、個人用選曲本サーバ９では、その曲の選曲番号が削除対象として指定されたことになり（図１９、Ｓ５１）、当該携帯電話２から入力されたユーザーキーを取り出して（Ｓ５２）、図６に示すように、個人用選曲本テーブル２８１ａからユーザーキーと指定の選曲番号とに該当する曲情報に消去フラグ２８１ａ６をＯＮ（「１」）として個人用選曲本から消去する（Ｓ５３）。尚、このＳ５３の処理が削除手段に相当する。また、本実施例では、消去フラグ２８１ａ６を用いて曲情報を見かけ上消去したが、個人用選曲本テーブル２８１ａから実際に曲情報を消去するようにしても差し支えない。
【００９７】
尚、図２６に示す個人用選曲本の表示画面６５に登録された曲情報が表示されている状態で、得意曲に登録のボタンをクリックすると、図６に示すように、個人用選曲本テーブル２８１ａの該当曲に得意曲フラグがＯＮ（「１」）となり、得意曲フラグＯＮの曲だけを抽出して、図２５に示すような、個人用選曲本テーブル２８１ａに登録した曲の中でも得意曲として登録した得意曲が一覧に表示された得意曲画面６４が表示される。
【００９８】
尚、携帯電話２の表示画面２ａに図２５に示す得意曲画面６４や図２６に示す個人用選曲本の表示画面６５が表示されている状態で、携帯電話２で画面メモに保存を指示すると（図１０：Ｓ１１）、携帯電話２では、画面メモに保存される（図１０：Ｓ１２）。
【００９９】
次に、図２０及び図２１に示すフローチャート参照して、友達紹介機能について説明する。この友達紹介機能は、自分が個人用選曲本テーブル記憶エリア２８１に登録した曲情報を友人用の個人用選曲本テーブルにコピーしてそのアドレスをその友人に通知する機能である。
【０１００】
具体的には、図２０のフローチャートに示すように携帯電話２では、まず、ジョグポインタ２ｃ及び機能選択ボタン２ｉ，２ｊを操作してＷＥＢページ閲覧モードにする（Ｓ１６１）。自分のユーザーキーをアドレスとしてテン・キー入力部２ｂから入力する（Ｓ１６２）。
【０１０１】
個人用選曲本サーバ９では、図２１に示すように、携帯電話２から通知されたユーザーキーから構成されたアドレス（ＵＲＬ）で、個人用選曲本サーバ９に接続されると（Ｓ６１：ＹＥＳ）、そのユーザーキーを取り出して、図２３に示すメニュー表示を行うインデックスページ６２を表示するデータを携帯電話２に送信する（Ｓ６２）。携帯電話２では、ジョグポインタ２ｃで友達紹介モードを選択すると（図２０、Ｓ１６３、図２１、Ｓ６３：ＹＥＳ）、個人用選曲本サーバ９では、友達紹介画面表示データを携帯電話２に送信する（図２１、Ｓ６４）。携帯電話２では、図２７に示すように、表示装置２ａに友達への紹介画面６６が表示される（図２０、Ｓ１６４）。この紹介画面６６には、自分の選んだ曲のリストを紹介したい友人（紹介先）のメールアドレスを入力する紹介先メールアドレス入力欄６６ａが表示される。ここで、友人等のメールアドレスを紹介先メールアドレス入力欄６６ａに入力すると（Ｓ１６５）、個人用選曲本サーバ９では、入力された友人のメールアドレスを取得して（図２１、Ｓ６６）、その友人のメールアドレスとその友人のメールアドレス取得時の時刻変数から前記同様にＭＤ５関数により暗号化してユーザーキーを生成する（図２１、Ｓ６７）。このときに、同時に作成された友人のユーザーキーに対応させて、操作者のユーザーキーに対応して個人用選曲本テーブル２８１ａに記憶している曲情報を個人用選曲本テーブル２８１ａ上にコピーする（図２１、Ｓ６８）。
【０１０２】
次いで、操作者のユーザーキーから利用者登録テーブル記憶エリア２８０に記憶されている利用者登録テーブル２８０ａを参照して差出人アドレスを抽出して、その差出人からの紹介であるとの文面を作成して友人のメールアドレスに生成された友人用のユーザーキーを通知する案内メールを送信する（Ｓ６９）。その後、処理を終了する。
【０１０３】
尚、選曲番号は、各社毎に異なっているので、図２３に示す個人用選曲本インデックス画面６２で、選曲番号変更の中から、使用する会社名を選択するようにしている。上記実施の形態では、選曲番号はＡ社用のもので、各テーブル等にもＡ社用の選曲番号が記憶されているが、図２３に示す個人用選曲本インデックス画面６２で、Ｂ社、Ｃ社が選択された場合には、図９に示す選曲番号変換テーブル２８４ａを参照して、選曲番号を変換して、携帯電話２の表示画面２ａに選曲番号を表示するようにする。
【０１０４】
以上説明したように、本実施の形態の個人用選曲本システム１では、個人用選曲本サーバ９に個人用選曲本としてカラオケ曲の選曲番号、曲名、歌手名等を登録する場合に、予め決められた所定のメールアドレスに電子メールを送るだけで個人用のＷＥＢアドレスであるＵＲＬがＭＤ５関数により発行され、通知される。従って、本実施の形態の個人用選曲本システム１では、会員登録時の会員特定情報としてメールアドレスを用い、このメールアドレスにより一元的に決定できる情報を用いて、該当するサービスに使用する個人用アドレス（ＵＲＬ）若しくは、それに付随するユーザーキー情報を決定することにより、会員を特定し、気に入った曲などの登録された個人情報の利用が容易にできる。従って、分厚い選曲本をめくらなくても自分の歌いたい曲の通信カラオケ再生装置１１での選曲番号を自分の携帯電話２で容易に知ることができる。また、新規な曲情報の登録も極めて容易にできる。さらに、個人用選曲本の登録内容の表示画面や得意曲の表示画面を携帯電話２に画面登録して於けば、電話の入らない地下や窓のないカラオケボックス１０の部屋でも、分厚い選曲本をめくらなくても自分の歌いたい曲の選曲番号を自分の携帯電話２で容易に知ることができる。また、自分の登録した曲情報を友人に紹介機能で知らせることもでき、この紹介機能を使えば、携帯電話２を別の回線会社（キャリア）の携帯電話２に変更した場合に、メールアドレスが変わってしまっても、新しい携帯電話２のメールアドレスを紹介機能で登録して於けば、自分が前の携帯電話２で登録した個人用選曲本と同じ内容を参照することができる。
【０１０５】
次に、本発明の変形例を図２８に示すフローチャートを参照して説明する。図２８は、端末装置から取得した当該端末装置の固有の識別情報であるＵＩＤを用いて個人用選曲本サーバ９に接続時のユーザーキーから構成されたＵＲＬの入力を不要とするための個人用選曲本サーバ９の動作のフローチャートである。
【０１０６】
図２８のフローチャートに示すように、個人用選曲本サーバ９に、ある端末装置から初めてユーザーキーから構成されたＵＲＬの入力により接続があった場合（その端末装置の過去の接続の有無を示す状態フラグを「０」として、その他の情報記憶エリア２８６に記憶する）（Ｓ７１：ＹＥＳ）。接続した端末装置が携帯電話２の場合には（Ｓ７２：ＹＥＳ）、携帯電話２から固有の識別情報であるＵＩＤを取得して図５に示す利用者登録テーブル２８０ａの当該入力されたユーザーキーに対応するＵＩＤ記録欄２８０ａ９に記憶し、状態フラグを「１」とする（Ｓ７３）、接続した端末装置が携帯電話２でない場合には（Ｓ７２：ＮＯ）、接続した端末装置はパーソナルコンピュータと考えられるので、ユーザーキーをパーソナルコンピュータのＣｏｏｋｉｅに登録し、状態フラグを「１」とする（Ｓ７４）。尚、Ｓ７３，Ｓ７４の処理が識別情報取得手段に相当する。
【０１０７】
次に、個人用選曲本サーバ９に、既に接続したことがある端末装置から接続があった場合（その端末装置の過去の接続の有無を示す状態フラグが「１」の場合に）（Ｓ７５：ＹＥＳ）、接続した端末装置が携帯電話２の場合には（Ｓ７５：ＹＥＳ）、その携帯電話２のＵＩＤを取得して、利用者登録テーブル２８０ａのＵＩＤ記録欄２８０ａ９と比較して、一致するＵＩＤに対応したユーザーキーを取り出す（Ｓ７６）。また、接続した端末装置が携帯電話２でない場合には（Ｓ７５：ＮＯ）、その端末装置のＣｏｏｋｉｅからユーザーキーを取り出す（Ｓ７７）。次いで、前記Ｓ３４と同様に、新譜情報表示データや全曲検索結果表示データ送信を行い（Ｓ７９）。携帯電話２又はパーソナルコンピュータから登録指示を受けると（Ｓ８０：ＹＥＳ）、個人用選曲本テーブル記憶エリア２８１に記憶されている個人用選曲本テーブル２８１ａ（図６参照）にユーザーキー２８１ａ１、選曲番号２８１ａ２、曲名２８１ａ４、歌手名２８１ａ５、登録日２８１ａ７が一組として登録される（Ｓ８１）。この変形例の場合には、携帯電話２又は通信機能を備えたパーソナルコンピュータで個人用選曲本サーバ９に接続した場合に、一々、ユーザーキーを入力する必要がない。
【０１０８】
尚、本発明は、上記の実施の形態に限られず、各種の変形が可能であることは言うまでもない、例えば、個人用選曲本システム１では、携帯通信端末としては、携帯電話２を用いたが、携帯電話２に限られず、通信機能付きのＰＤＡ、ＰＨＳ、通信カードを内蔵したノートパソコン等でもよい。また、ユーザーキー生成のためにＭＤ５関数を用いたが、ハッシュ関数、ＤＥＳ、ＤＥＳ３等を用いても良い、さらに、他の暗号化方法を用いても良い。また、上記の実施の形態では、ユーザーキーの作成に受信した電子メールのアドレスを利用したが、携帯電話の電話番号やＵＩＤを用いても良い。
【０１０９】
【発明の効果】
以上説明したことから明かなように、請求項１に係る発明の個人用選曲本システムでは、携帯通信端末の端末側電子メール作成手段により電子メールを作成して、端末側電子メール送信手段で電子メールを送信すると、個人用選曲本サーバのサーバ側電子メール受信手段が電子メールを受信し、固有アドレス作成手段は、サーバ側電子メール受信手段が受信した電子メールの発信元情報に基づいて、ＷＥＢページを示す固有アドレスを作成することができる。個人用選曲本データベース記憶手段には、固有アドレスに対応して個別に記憶しており、サーバ側電子メール作成手段は、固有アドレス作成手段が作成した固有アドレスを含む電子メールを作成し、サーバ側電子メール送信手段はサーバ側電子メール作成手段が作成した電子メールを携帯通信端末に送信することができる。携帯通信端末の端末側電子メール受信手段は電子メールを受信し、表示手段は電子メールやＷＥＢページを表示し、閲覧手段は、受信した電子メールにより通知された固有アドレスに基づいて、個人用選曲本データベースに記憶された曲情報をＷＥＢページとして表示手段に表示することができる。従って、携帯通信端末から電子メールを個人用選曲本サーバに送信するだけで、ＷＥＢページを示す固有アドレスを作成でき、携帯通信端末の使用者は、その固有アドレスをＵＲＬとして使用するだけで、個人用選曲本サーバの個人用選曲本データベース記憶手段に記憶された選曲情報を閲覧することができる。よって、ＩＤ及びパスワードの入力及び承認という複雑な操作が不要となる。
【０１１０】
また、請求項２に係る発明の個人用選曲本システムでは、請求項１に記載の発明の効果に加えて、固有アドレス作成手段は、サーバ側電子メール受信手段が受信した電子メールの発信元メールアドレスと、時刻に基づく時刻変数とを暗号化して、ＷＥＢページを示す固有アドレスを作成することができる。従って、同じ固有アドレスが複数付与されることはなく、また、メールアドレス等から固有アドレスを推測することは不可能であり、ＷＥＢページの秘密性が高く、他人から閲覧される恐れもない。
【０１１１】
また、請求項３に係る発明の個人用選曲本システムでは、請求項１に記載の発明の効果に加えて、個人用選曲本サーバの識別情報取得手段は、携帯通信端末が通信ネットワークを介して接続した場合に、携帯通信端末から携帯通信端末を識別する固有の識別情報を取得し、識別情報記憶手段は、識別情報取得手段が取得した固有の識別情報を固有アドレスに対応させて記憶することができる。識別情報ＷＥＢページ作成手段は、識別情報記憶手段に記憶された固有の識別情報を備えた携帯通信端末が通信ネットワークを介して接続した場合に、固有の識別情報を取得して、個人用選曲本データベース記憶手段に記憶した曲情報をＷＥＢページとして表示するデータを作成することができる。従って、携帯通信端末で個人用選曲本サーバに接続するだけで、携帯通信端末の使用者は、個人用選曲本サーバの個人用選曲本データベース記憶手段に記憶された選曲情報を閲覧することができる。よって、ＩＤ及びパスワードの入力及び承認という複雑な操作が不要となる。
【０１１２】
また、請求項４に係る発明の個人用選曲本システムでは、請求項１乃至３の何れかに記載の発明の効果に加えて、個人用選曲本サーバの全曲データベース記憶手段には、楽曲の少なくとも曲名と、歌手名と、当該選曲データとを対応させて記憶し、全曲検索手段により当該全曲データベース記憶手段から曲名又は歌手名に基づいて楽曲を検索すると、全曲検索結果表示手段が全曲検索手段の検索結果をＷＥＢページとして表示させることができる。全曲検索結果記憶制御手段は、ＷＥＢページに表示された全曲検索手段の検索結果から、携帯通信端末側から指定された楽曲の少なくとも選曲データを含む曲情報を個人用選曲本データベース記憶手段に記憶させることができる。従って、音楽再生装置に配信されている全曲の中から好みの曲を検索して個人用選曲本データベース記憶手段に記憶することができる。
【０１１３】
また、請求項５に係る発明の個人用選曲本システムでは、請求項１乃至４の何れかに記載の発明の効果に加えて、個人用選曲本サーバの新曲データベースには、所定期間内に前記音楽再生装置に新規に登録された楽曲の曲名と、歌手名と、当該選曲データとが対応されて記憶され、新曲検索手段は、携帯通信端末から指定された期間に音楽再生装置に登録された楽曲を検索することができる。新曲検索結果表示手段は、新曲検索手段の検索結果をＷＥＢページとして表示させ、新曲検索結果記憶制御手段は、ＷＥＢページに表示された新曲検索手段の検索結果から、携帯通信端末側から指定された楽曲の少なくとも選曲データを含む曲情報を個人用選曲本データベース記憶手段に記憶させることができる。従って、音楽再生装置に配信されている新曲の中から好みの曲を検索して個人用選曲本データベース記憶手段に記憶することができる。
【０１１４】
また、請求項６に係る発明の個人用選曲本システムでは、請求項１乃至５の何れかに記載の発明の効果に加えて、個人用選曲本サーバの個人用選曲本ＷＥＢページデータ作成手段は、個人用選曲本データベース記憶手段に記憶された曲情報から少なくとも曲名と、歌手名と、選曲データとをＷＥＢページとして表示するデータを作成することができる。
【０１１５】
また、請求項７に係る発明の個人用選曲本システムは、請求項１乃至６の何れかに記載の発明の効果に加えて、個人用選曲本サーバの得意曲記憶手段は、個人用選曲本データベース記憶手段に記憶された曲情報中で携帯通信端末側から指定された楽曲について、得意曲として記憶させ、得意曲ＷＥＢページデータ作成手段は、得意曲記憶手段に得意曲として記憶された曲情報をＷＥＢページとして表示するデータを作成することができる。従って、個人用選曲本データベース記憶手段に記憶された曲情報の中で特に好みのものを得意曲として登録できるので、得意曲を示す符号を容易に知ることができる。
【０１１６】
また、請求項８に係る発明の個人用選曲本システムでは、請求項１乃至７の何れかに記載の発明の効果に加えて、携帯通信端末側から指定された表示順で、個人用選曲本データベース記憶手段に記憶された曲情報に関して、歌手名順、登録順、曲名順の何れかの順で、表示ＷＥＢページデータを作成することができる。従って、好みの表示順で個人用選曲本データベース記憶手段に記憶された曲情報を表示することができる。
【０１１７】
また、請求項９に係る発明の個人用選曲本システムでは、請求項１乃至８の何れかに記載の発明の効果に加えて、削除手段は、個人用選曲本データベース記憶手段に記憶された曲情報を削除することができる。従って、不要な曲情報を削除することができる。
【０１１８】
また、請求項１０に係る発明の個人用選曲本システムでは、請求項１乃至９の何れかに記載の発明の効果に加えて、個人用選曲本サーバのＷＥＢページデータには、固有アドレスに対応して設けられ、第２のメールアドレスを入力するメールアドレス入力画面ＷＥＢページを表示するためデータが記憶され、第２の固有アドレス作成手段は、メールアドレス入力画面ＷＥＢページにおいて、携帯通信端末側から入力された第２のメールアドレスに基づいて、第２のメールアドレスに固有の前記選曲情報を表示するＷＥＢページを示す第２の固有アドレスを作成することができる。データ複製記憶手段は、固有アドレスに対応して前記個人用選曲本データベース記憶手段に記憶された選曲情報を複製して、第２の固有アドレスに対応して個人用選曲本データベース記憶手段に記憶させることができる。サーバ側電子メール作成手段は、第２の固有アドレス作成手段が作成した第２の固有アドレスを含む電子メールを作成し、サーバ側電子メール送信手段は、サーバ側電子メール作成手段が作成した電子メールを第２のメールアドレスの携帯通信端末に送信することができる。従って、自分が個人用選曲本データベース記憶手段に登録した選曲情報をコピーして、友人の携帯情報端末や自分の他の携帯情報端末から閲覧することができる。
【０１１９】
また、請求項１１に係る発明の個人用選曲本システムでは、請求項１乃至１０の何れかに記載の発明の効果に加えて、符号変換テーブル記憶手段は、選曲データを音楽再生装置と符号体系の異なる他の音楽再生装置用の符号に変換するために、前記符号と符号体系の異なる他の音楽再生装置用の符号とを対応させて記憶することができる。符号体系選択ＷＥＢページデータ記憶手段には、当該符号変換テーブル記憶手段から利用する符号体系を選択する符号体系選択画面のＷＥＢページを表示するためのデータが記憶され、符号変換ＷＥＢページデータ作成手段は、符号体系選択ＷＥＢページ上で携帯通信端末側から指定された符号体系で、選曲データを表示するＷＥＢページのデータを作成することができる。従って、符号体系の異なる他の音楽再生装置用においても、個人用選曲本システムを利用することができる。
【０１２０】
また、請求項１２に係る発明の個人用選曲本サーバでは、携帯通信端末から電子メールを送信すると、サーバ側電子メール受信手段が電子メールを受信し、固有アドレス作成手段は、サーバ側電子メール受信手段が受信した電子メールの発信元情報に基づいて、ＷＥＢページを示す固有アドレスを作成することができる。個人用選曲本データベース記憶手段には、固有アドレスに対応して個別に記憶しており、サーバ側電子メール作成手段は、固有アドレス作成手段が作成した固有アドレスを含む電子メールを作成し、サーバ側電子メール送信手段はサーバ側電子メール作成手段が作成した電子メールを携帯通信端末に送信することができる。従って、携帯通信端末から電子メールを個人用選曲本サーバに送信するだけで、ＷＥＢページを示す固有アドレスを作成でき、携帯通信端末の使用者は、その固有アドレスをＵＲＬとして使用するだけで、個人用選曲本サーバの個人用選曲本データベース記憶手段に記憶された選曲情報を閲覧することができる。よって、ＩＤ及びパスワードの入力及び承認という複雑な操作が不要となる。
【０１２１】
また、請求項１３に係る発明の個人用選曲本サーバでは、請求項１２に記載の発明の効果に加えて、固有アドレス作成手段は、サーバ側電子メール受信手段が受信した電子メールの発信元メールアドレスと、時刻に基づく時刻変数とを暗号化して、ＷＥＢページを示す固有アドレスを作成することができる。従って、同じ固有アドレスが複数付与されることはなく、また、メールアドレス等から固有アドレスを推測することは不可能であり、ＷＥＢページの秘密性が高く、他人から閲覧される恐れもない。
【０１２２】
また、請求項１４に係る発明の個人用選曲本サーバでは、請求項１２に記載の発明の効果に加えて、識別情報取得手段は、携帯通信端末が通信ネットワークを介して接続した場合に、携帯通信端末から携帯通信端末を識別する固有の識別情報を取得し、識別情報記憶手段は、識別情報取得手段が取得した固有の識別情報を固有アドレスに対応させて記憶することができる。識別情報ＷＥＢページ作成手段は、識別情報記憶手段に記憶された固有の識別情報を備えた携帯通信端末が通信ネットワークを介して接続した場合に、固有の識別情報を取得して、個人用選曲本データベース記憶手段に記憶した曲情報をＷＥＢページとして表示するデータを作成することができる。従って、携帯通信端末で個人用選曲本サーバに接続するだけで、携帯通信端末の使用者は、個人用選曲本サーバの個人用選曲本データベース記憶手段に記憶された選曲情報を閲覧することができる。よって、ＩＤ及びパスワードの入力及び承認という複雑な操作が不要となる。
【０１２３】
また、請求項１５に係る発明の個人用選曲本サーバでは、請求項１２乃至１４の何れかに記載の発明の効果に加えて、新曲データベースには、所定期間内に前記音楽再生装置に新規に登録された楽曲の曲名と、歌手名と、当該選曲データとが対応されて記憶され、新曲検索手段は、新曲データベース記憶手段から、曲名又は歌手名に基づいて、楽曲を検索することができる。新曲検索結果表示手段は、新曲検索手段の検索結果をＷＥＢページとして表示させ、新曲検索結果記憶制御手段は、ＷＥＢページに表示された新曲検索手段の検索結果から、携帯通信端末側から指定された楽曲の少なくとも選曲データを含む曲情報を個人用選曲本データベース記憶手段に記憶させることができる。従って、音楽再生装置に配信されている全曲の中から好みの曲を検索して個人用選曲本データベース記憶手段に記憶することができる。従って、音楽再生装置に配信されている全曲の中から好みの曲を検索して個人用選曲本データベース記憶手段に記憶することができる。
【０１２４】
また、請求項１６に係る発明の個人用選曲本サーバでは、請求項１２乃至１５の何れかに記載の発明の効果に加えて、新曲データベースには、所定期間内に前記音楽再生装置に新規に登録された楽曲の曲名と、歌手名と、当該選曲データとが対応されて記憶され、新曲検索手段は、携帯通信端末から指定された期間に音楽再生装置に登録された楽曲を検索することができる。新曲検索結果表示手段は、新曲検索手段の検索結果をＷＥＢページとして表示させ、新曲検索結果記憶制御手段は、ＷＥＢページに表示された新曲検索手段の検索結果から、携帯通信端末側から指定された楽曲の少なくとも選曲データを含む曲情報を個人用選曲本データベース記憶手段に記憶させることができる。従って、音楽再生装置に配信されている新曲の中から好みの曲を検索して個人用選曲本データベース記憶手段に記憶することができる。
【０１２５】
また、請求項１７に係る発明の個人用選曲本サーバでは、請求項１２乃至１６の何れかに記載の発明の効果に加えて、個人用選曲本サーバの個人用選曲本ＷＥＢページデータ作成手段は、個人用選曲本データベース記憶手段に記憶された曲情報から少なくとも曲名と、歌手名と、選曲データとをＷＥＢページとして表示するデータを作成することができる。
【０１２６】
また、請求項１８に係る発明の個人用選曲本サーバでは、請求項１２乃至１７の何れかに記載の発明の効果に加えて、得意曲記憶手段は、個人用選曲本データベース記憶手段に記憶された曲情報中で携帯通信端末側から指定された楽曲について、得意曲として記憶させ、得意曲ＷＥＢページデータ作成手段は、得意曲記憶手段に得意曲として記憶された曲情報をＷＥＢページとして表示するデータを作成することができる。従って、個人用選曲本データベース記憶手段に記憶された曲情報の中で特に好みのものを得意曲として登録できるので、得意曲を示す符号を容易に知ることができる。
【０１２７】
また、請求項１９に係る発明の個人用選曲本サーバは、請求項１２乃至１８の何れかに記載の発明の効果に加えて、携帯通信端末側から指定された表示順で、個人用選曲本データベース記憶手段に記憶された曲情報に関して、歌手名順、登録順、曲名順の何れかの順で、表示ＷＥＢページデータを作成することができる。従って、好みの表示順で個人用選曲本データベース記憶手段に記憶された曲情報を表示することができる。
【０１２８】
また、請求項２０に係る発明の個人用選曲本サーバでは、請求項１２乃至１９の何れかに記載の発明の効果に加えて、削除手段は、個人用選曲本データベース記憶手段に記憶された曲情報を削除することができる。従って、不要な曲情報を削除することができる。
【０１２９】
また、請求項２１に係る発明の個人用選曲本サーバは、請求項１２乃至２０の何れかに記載の発明の効果に加えて、ＷＥＢページデータには、固有アドレスに対応して設けられ、第２のメールアドレスを入力するメールアドレス入力画面ＷＥＢページを表示するためデータが記憶され、第２の固有アドレス作成手段は、メールアドレス入力画面ＷＥＢページにおいて、携帯通信端末側から入力された第２のメールアドレスに基づいて、第２のメールアドレスに固有の前記選曲情報を表示するＷＥＢページを示す第２の固有アドレスを作成することができる。データ複製記憶手段は、固有アドレスに対応して前記個人用選曲本データベース記憶手段に記憶された選曲情報を複製して、第２の固有アドレスに対応して個人用選曲本データベース記憶手段に記憶させることができる。サーバ側電子メール作成手段は、第２の固有アドレス作成手段が作成した第２の固有アドレスを含む電子メールを作成し、サーバ側電子メール送信手段は、サーバ側電子メール作成手段が作成した電子メールを第２のメールアドレスの携帯通信端末に送信することができる。従って、自分が個人用選曲本データベース記憶手段に登録した選曲情報をコピーして、友人の携帯情報端末や自分の他の携帯情報端末から閲覧することができる。
【０１３０】
また、請求項２２に係る発明の個人用選曲本サーバでは、請求項１２乃至２１の何れかに記載の発明の効果に加えて、符号変換テーブル記憶手段は、選曲データを音楽再生装置と符号体系の異なる他の音楽再生装置用の符号に変換するために、前記符号と符号体系の異なる他の音楽再生装置用の符号とを対応させて記憶することができる。符号体系選択ＷＥＢページデータ記憶手段には、当該符号変換テーブル記憶手段から利用する符号体系を選択する符号体系選択画面のＷＥＢページを表示するためのデータが記憶され、符号変換ＷＥＢページデータ作成手段は、符号体系選択ＷＥＢページ上で携帯通信端末側から指定された符号体系で、選曲データを表示するＷＥＢページのデータを作成することができる。従って、符号体系の異なる他の音楽再生装置用においても、個人用選曲本システムを利用することができる。
【図面の簡単な説明】
【図１】図１は、個人用選曲本システムのネットワーク機器構成を示す図である。
【図２】図２は、個人用選曲本サーバ９の構造を示すブロックである。
【図３】図３は、携帯電話の外観図である。
【図４】図４は、携帯電話２の回路のブロック図である。
【図５】図５は、利用者登録テーブル２８０ａの構成を示す概念図である。
【図６】図６は、個人用選曲本テーブル２８１ａの構成を示す概念図である。
【図７】図７は、新譜楽曲テーブル２８２ａの構成を示す概念図である。
【図８】図８は、全曲テーブル２８３ａの構成を示す概念図である。
【図９】図９は、選曲番号変換テーブル２８４ａの構成を示す概念図である。
【図１０】図１０は、携帯電話２と個人用選曲本サーバ９との間の動作の関係を示す概念図である。
【図１１】図１１は、会員登録時の携帯電話２のＣＰＵ２ｋ１の動作を示すフローチャートである。
【図１２】図１２は会員登録時の個人用選曲本サーバ９のＣＰＵ２０で行われる処理の動作のフローチャートである。
【図１３】図１３は、曲情報を個人用選曲本テーブル２８１ａへの登録時の携帯電話２のＣＰＵ２１の動作を示すフローチャートである。
【図１４】図１４は曲情報を登録時の個人用選曲本サーバ９のＣＰＵ２０で行われる処理の動作のフローチャートである。
【図１５】図１５は、図１４に示すＳ３４のステップのサブルーチンのフローチャートである。
【図１６】図１６は個人用選曲本の閲覧時の携帯電話２のＣＰＵ２ｋ１の動作を示すフローチャートである。
【図１７】図１７は、個人用選曲本の内容の表示時の個人用選曲本サーバ９のＣＰＵ２０で行われる処理の動作のフローチャートである。
【図１８】図１８は、個人用選曲本テーブル２８１ａから曲情報を削除時の携帯電話２のＣＰＵ２ｋ１の動作を示すフローチャートである。
【図１９】図１９は、個人用選曲本に登録した曲情報の削除時の個人用選曲本サーバ９のＣＰＵ２０で行われる処理の動作のフローチャートである。
【図２０】図２０は、友達紹介モード時の携帯電話２のＣＰＵ２ｋ１の動作を示すフローチャートである。
【図２１】図２１は、個人用選曲本に登録した楽曲の友人への紹介時の個人用選曲本サーバ９のＣＰＵ２０で行われる処理の動作のフローチャートである。
【図２２】図２２は、個人用選曲本サーバ９から携帯電話２へのユーザーキーを送り返したときの携帯電話２の表示画面２ａに表示されるメールの画面を示す図である。
【図２３】図２３は、個人選曲本のインデックスのＷＥＢ画面を示す図である。
【図２４】図２４は、新譜情報を選択するためのＷＥＢ画面を示す図である。
【図２５】図２５は、得意曲ＷＥＢページの表示画面を示す図である。
【図２６】図２６は、個人選曲本の内容のＷＥＢ画面を示す図である。
【図２７】図２７は、友達への紹介時のＷＥＢ画面を示す図である。
【図２８】図２８は、携帯電話２から取得した携帯電話の固有の識別情報であるＵＩＤを用いて上記の個人用選曲本システム１を実現するための個人用選曲本サーバ９の動作のフローチャートである。
【符号の説明】
１　　個人用選曲本システム
２　　携帯電話
４　　パケット通信網
８　　インターネット
９　　個人用選曲本サーバ
２０　　ＣＰＵ
２１　　ＲＡＭ
２２　　ＲＯＭ
２８　　ハードディスク装置
２８０　　利用者登録テーブル記憶エリア
２８１　　個人用選曲本テーブル記憶エリア
２８２　　新譜楽曲テーブル記憶エリア
２８３　　全曲テーブル記憶エリア
２８４　　選曲番号変換テーブル記憶エリア
２８５　　プログラム記憶エリア
２８６　　その他の情報記憶エリア
【図１】
2004144956.tif 000003
【図２】
2004144956.tif 000004
【図３】
2004144956.tif 000005
【図４】
2004144956.tif 000006
【図５】
2004144956.tif 000007
【図６】
2004144956.tif 000008
【図７】
2004144956.tif 000009
【図８】
2004144956.tif 000010
【図９】
2004144956.tif 000011
【図１０】
2004144956.tif 000012
【図１１】
2004144956.tif 000013
【図１２】
2004144956.tif 000014
【図１３】
2004144956.tif 000015
【図１４】
2004144956.tif 000016
【図１５】
2004144956.tif 000017
【図１６】
2004144956.tif 000018
【図１７】
2004144956.tif 000019
【図１８】
2004144956.tif 000020
【図１９】
2004144956.tif 000021
【図２０】
2004144956.tif 000022
【図２１】
2004144956.tif 000023
【図２２】
2004144956.tif 000024
【図２３】
2004144956.tif 000025
【図２４】
2004144956.tif 000026
【図２５】
2004144956.tif 000027
【図２６】
2004144956.tif 000028
【図２７】
2004144956.tif 000029
【図２８】
2004144956.tif 000030